(57)【特許請求の範囲】
【請求項１】
所定の通信媒体を介して通信可能に接続される複数のデータ処理装置より受信した印刷ジョブの印刷結果を複数の排紙口に排紙可能な画像記録装置において、
前記各排紙口の用紙積載量を検知する検知手段と、
前記検知手段が検知した各排紙口の用紙積載量と登録される各排紙口の識別名称を各排紙口毎に記憶する記憶手段と、
前記印刷ジョブに指定された識別名称と同一の識別名称が前記記憶手段に登録された排紙口が存在するかどうかを検索する第１の検索手段と、
前記各排紙口から空の排紙口を検索する第２の検索手段と、
前記第１の検索手段，第２の検索手段の検索結果に基づいて、前記印刷ジョブの印刷結果を排紙する排紙口を決定する決定手段と、
前記決定手段により決定された排紙口の識別名称が前記記憶手段に登録されていない場合、前記印刷ジョブに指定されている識別名称を前記決定手段が決定した排紙口の識別名称として前記記憶手段に登録する登録手段と、
前記記憶手段に記憶される各排紙口の積載量を監視し、前記記憶手段に識別名称を登録されている排紙口の積載量が零になった時、該排紙口の識別名称と同一の識別名称が指定されている印刷ジョブの印刷処理を行っていない場合に、該排紙口の識別名称を前記記憶手段から削除する削除手段と、を有し、
前記削除手段は、前記記憶手段に同一識別名称を登録されている複数の排紙口の積載量が零になった場合、該排紙口の識別名称と同一の識別名称が指定されている印刷ジョブの印刷処理を行っている場合には、優先順位の一番高い排紙口以外の排紙口の識別名称を前記記憶手段から削除することを特徴とする画像記録装置。
【請求項２】
所定の通信媒体を介して通信可能に接続される複数のデータ処理装置より受信した印刷ジョブの印刷結果を複数の排紙口に排紙可能な画像記録装置において、
前記各排紙口の用紙積載量を検知する検知手段と、
前記検知手段が検知した各排紙口の用紙積載量と登録される各排紙口の識別名称を各排紙口毎に記憶する記憶手段と、
前記印刷ジョブに指定された識別名称と同一の識別名称が前記記憶手段に登録された排紙口が存在するかどうかを検索する第１の検索手段と、
前記各排紙口から空の排紙口を検索する第２の検索手段と、
前記第１の検索手段，第２の検索手段の検索結果に基づいて、前記印刷ジョブの印刷結果を排紙する排紙口を決定する決定手段と、
前記決定手段により決定された排紙口の識別名称が前記記憶手段に登録されていない場合、前記印刷ジョブに指定されている識別名称を前記決定手段が決定した排紙口の識別名称として前記記憶手段に登録する登録手段と、
前記記憶手段に記憶される各排紙口の積載量を監視し、前記記憶手段に識別名称を登録されている排紙口の積載量が零になった時、該排紙口の識別名称と同一の識別名称が指定されている印刷ジョブの印刷処理を行っていない場合に、該排紙口の識別名称を前記記憶手段から削除する削除手段と、を有し、
前記削除手段は、前記記憶手段に同一識別名称を登録されている複数の排紙口の積載量が零になった場合、該排紙口の識別名称と同一の識別名称が指定されている印刷ジョブの印刷処理を行っている場合には、該印刷ジョブの排紙先に決定されている排紙口以外の排紙口の識別名称を前記記憶手段から削除することを特徴とする画像記録装置。
【発明の詳細な説明】
【０００１】
【発明の属する技術分野】
本発明は、所定の通信媒体を介して通信可能に接続される複数のデータ処理装置より受信した印刷ジョブの印刷結果を複数の排紙口に排紙可能な画像記録装置並びに画像記録システム並びに画像記録装置の制御方法並びに画像記録システムの制御方法および記憶媒体に関するものである。
【０００２】
【従来の技術】
近年、コンピュータはＬＡＮ（Ｌｏｃａｌ  Ａｒｅａ  Ｎｅｔｗｏｒｋ）によって相互に接続され、プリンタにとどまらず、コピー、ファックス機能を備えたマルチファンクション画像処理装置等の多様な周辺機器群においても、ＬＡＮ接続が可能となっている。
【０００３】
このような環境では、あらゆるニーズを持ったユーザが画像記録装置を共有することになり、例えば同じオフィスで使用する場合でも、利用人数の違い、いろいろな用紙サイズを使用するかどうか、印刷物をすぐに取りに行くことが多いかそれとも長い時間放置することが多いか等、使用環境はさまざまであり、さらにその運用方法も時と場合によって変化するために、それぞれの運用方法に対応できる機能を持った画像記録装置というものが求められている。
【０００４】
これまでの画像記録装置は、ＬＡＮ接続してネットワーク環境にて使用する場合においても、画像記録装置の排紙口は印刷を行ったユーザの排紙を一時的に保存しておく場所として利用されることがほとんどであり、例えば印刷した文書を必要なところへ配布する場合は、プリンタで印刷した印刷物をコピー機で必要部数ソートコピーし、それぞれの配布物を入れるボックスへコピーした印刷物を持っていき配布するといったことが行われていた。
【０００５】
また、複数の排紙口を有するプリンタ等の画像記録装置を複数のユーザで共有利用する場合においても、
（１）１ジョブ毎に空の排紙口へ排紙を行なう１ジョブセパレートモード
（２）ホストコンピュータ上のプリンタドライバＵＩで、排紙口に名称を固定的につけておき、その名称を指定することによって排紙口を切り換える疑似メールボックスモード
等により仕分けを行なっていた。
【０００６】
（１），（２）についてそれぞれの説明を、それぞれの概念図である図２８、図２９を元に説明を行う。
【０００７】
まず、（１）１ジョブセパレートについて説明する。
【０００８】
図２８は、従来の仕分け方法（１）１ジョブセパレートを説明する概念図である。
【０００９】
まず、（１）の１ジョブセパレートについて、図２８で示している例は、ユーザｋａｋｋｙ→ユーザｙｕｉｃｈｉ→ユーザｊｍｏｒｉ→ユーザｓａｋａｉ→ユーザｋａｋｋｙ→ユーザｓａｋａｉ→ユーザｓａｋａｉの順でそれぞれ印刷ジョブをプリンタに送信した場合の例である。
【００１０】
この例では、ジョブのオーナは関係なくプリンタ内でジョブの切り替わりを検知して、新規ジョブが送信されてきた場合に、積載量ゼロの排紙口を検索し、そのジョブはジョブ開始時に決定した排紙口にジョブ終了まで排紙を続ける。１ジョブ単位に排紙する排紙口を変えて排出を行っていくことにより、ジョブの混載を防いでいる。
【００１１】
次に、（２）疑似メールボックスについて説明する。
【００１２】
図２９は、従来の仕分け方法（２）疑似メールボックスを説明する概念図である。
【００１３】
（２）の疑似メールボックスについて、図２９で示している例は、ホストコンピュータ上の設定を操作することにより、擬似的にメールボックスを実現する方法である。
【００１４】
あるプリンタを７人で共有している場合に、共有しているユーザはそれぞれのホストコンピュータ上で、共有するプリンタの排紙口の名称の設定を行う。この時、共有する全てのホストコンピュータ上で同一のユーザ名を設定する必要がある。
【００１５】
図２９では、ビン１を部長、ビン２を室長、ビン３を主任、ビン４を室員Ａ、ビン５を室員Ｂ、ビン６を室員Ｃ、ビン７を庶務と決めて運用を行っており、印刷時には、名称を指定することで、その名称に対する排紙口に対して固定指定を行い、擬似的に仕分けを行っていく。ホストコンピュータ上の画面に現れる排紙口に意味を持たせることでジョブの混載を防いでいる。
【００１６】
しかしながら、上記（１），（２）の従来例においてはそれぞれ次のような問題点があった。
【００１７】
（１）１ジョブセパレートモードにおいては、前述のように、１ジョブの枚数が少ないデータが多い場合でも、ジョブのオーナに関係なく１ジョブ毎に排紙口を切り換えて排紙を行うので、排紙口の積載能力を十分に使いきれないうちに満載となってしまうことがあった。
【００１８】
（２）疑似メールボックスモードにおいては、ホストコンピュータ上で画像記録装置の排紙口名称を登録し、その名称のついた排紙口に対する固定指定に変換する方法であったため、画像記録装置を共有するホストコンピュータ上で全て同一の名称を登録する必要があった。そのため、画像記録装置を共有する全てのホストコンピュータ上の設定を合わせなければならないのは大変な手間であり、またこの操作を怠ると、ユーザが意図しない排紙口へ用紙が排出されてしまうことがあった。
【００１９】
例えば、図２９のように、室長が設定を間違って部長のビンと室長のビンを反対に設定してしまったために、ビン１とビン２には、部長のジョブと室長のジョブが混載されてしまうという問題が容易に発生してしまう。
【００２０】
これら（１），（２）排紙方法の問題を解決するため、下記に示すような排紙方法による運用が行われる場合があった。
【００２１】
（３）印刷データに含まれるユーザ情報を元に、ユーザ毎に空の排紙口を動的に割り当てて排紙を行なう特開平２−１２００６８号公報に示される排紙方法。
【００２２】
以下、（３）特願平２−１２００６８号公報に示す排紙方法について説明する。
【００２３】
図３０は、従来の仕分け方法（３）特開平２−１２００６８号公報に示される排紙方法を説明する概念図である。
【００２４】
この（３）の特開平２−１２００６８号公報に示される排紙方法について、図３０で示している例は、印刷データにユーザ名を付加し、そのユーザが使用している排紙口又は、そのユーザが使用している排紙口が無い場合は積載量ゼロの排紙口を検索して、そこへ排紙を行うと同時にそのユーザの排紙口として登録を行うものである。
【００２５】
この方法で排紙を行うと、ある排紙ビンには、必ず一人のユーザのジョブしか排紙されておらず、ユーザ毎に使用するビンは確実に分けられる。更に、１ビンに同一ユーザの複数ジョブを排紙することができるので、（１）の１ジョブセパレート時に問題となっていた、すぐに満載になってしまうという現象もなくなる。
【００２６】
また、（２）の擬似メールボックスのように、そのプリンタを共有する全てのユーザのホストコンピュータ上で煩わしい設定を行う必要もなく、ジョブの混載を防ぐことができる。
【００２７】
また、一度登録した排紙口の用紙を全て取り除くとその排紙口の登録は解除され、誰でも使用できる排紙口として解放されるので、より多くのユーザによる共有が可能となる。
【００２８】
【発明が解決しようとする課題】
しかしながら、上記（３）の従来例においても次のような問題点があった。
【００２９】
（３）の特開平２−１２００６８号公報に示される排紙方法の場合、ユーザ毎の仕分けのみが可能であり、ユーザの目的に合わせた仕分けを行なうことはできなかった。
【００３０】
例えば、
・使用するホストコンピュータ毎に排紙口を切り換える。
・使用するアプリケーション毎に排紙口を切り換える。
・使用する紙種毎に排紙口を切り換える。
・印刷するファイル毎に排紙口を切り換える。
・使用した時間帯毎に排紙口を切り換える。
等をユーザが選択することはできなかった。
【００３１】
また、印刷時に使用排紙ビンをダイナミックに登録し、ユーザのオペレーションにより登録を解除していき使用可能ビンを解放するような排紙方法をうまく運用していくには、ユーザがある程度頻繁に空きビンをつくっておく必要がある。
【００３２】
そのため、ユーザによっては自分の送信した印刷ジョブが全て排出し終わる前に用紙を取り除く等のオペレーションを行うユーザも存在し、用紙を取り除くことで登録したビン情報は解除されてしまうので、後述する図３１に示す従来例のように、現在排紙を行っているビンより優先順位の高い空きビンがあると、次からそこへ排紙が行われてしまう。
【００３３】
運用をスムーズに行うためには、ある程度頻繁に用紙取り除きをすることが必要であるが、図３１に示すように、印刷処理中に用紙を取り除くと同一ジョブでも排紙口が変わってしまい、内容を確認しないとどのビンに自分の印刷ジョブが排紙されているのかが分かりにくくなってしまうという問題点があった。
【００３４】
図３１は、図３０に示した従来の仕分け方法（３）において、印刷処理中に用紙を取り除いた場合を説明する図である。
【００３５】
図に示すように、ビン４に排紙されているユーザｓａｋａｉの印刷ジョブの印刷処理中にビン１〜ビン４の用紙を取り除くと、処理中のユーザｓａｋａｉの印刷ジョブは同一ジョブでも一番優先順位の高いビン、ここでは、ビン１に排出されてしまい、ユーザは、内容を確認しないとどのビンに自分の印刷ジョブが排紙されているのかが分かりにくく非常に紛らわしい。
【００３６】
本発明は、上記の問題点を解決するためになされたもので、本発明に係る第１の発明〜第２１の発明の目的は、データ処理装置が、排紙口を決定するための識別名称または識別名称の種類を指定し、該指定された識別名称、または指定された識別名称の種類に応じて決定される識別名称を画像記録装置に送信する印刷データに付加し、前記印刷データに付加した識別名称による仕分け排紙が不可能な場合に前記画像記録装置から通知される警告メッセージをユーザに報知し、画像記録装置が、印刷データに付加された識別名称と同一の識別名称をメモリ登録された排紙口が存在するかどうかを検索し、前記各排紙口から空の排紙口を検索し、各検索結果に基づいて、前記印刷データの印刷結果を排紙する排紙口を決定し、該決定された排紙口の識別名称が前記メモリに登録されていない場合、前記印刷データに付加されている識別名称を決定された排紙口の識別名称として前記メモリに登録し、各排紙口の積載量を監視し、メモリに識別名称を登録されている排紙口の積載量が零になった時に、該排紙口の識別名称と同一の識別名称が指定されている印刷ジョブの印刷処理を行っていない場合に、該排紙口の登録された識別名称をメモリから削除することにより、排紙口を動的に割り当てて目的に応じた多種の印刷物の仕分け排紙を行うジョブの処理中に、排紙口に積載された用紙取り除きのオペレーションを頻繁に行なって、各排紙口の排紙量がダイナミックに変動しても、同一ジョブは同一排紙口へ排紙し、混乱することなく自らの印刷物を容易に認識できる共有画像記録環境を構築することができる画像記録装置並びに画像記録システム並びに画像記録装置の制御方法並びに画像記録システムの制御方法および記憶媒体を提供することである。
【００３９】
【課題を解決するための手段】
本発明は、所定の通信媒体を介して通信可能に接続される複数のデータ処理装置より受信した印刷ジョブの印刷結果を複数の排紙口に排紙可能な画像記録装置において、前記各排紙口の用紙積載量を検知する検知手段と、前記検知手段が検知した各排紙口の用紙積載量と登録される各排紙口の識別名称を各排紙口毎に記憶する記憶手段と、前記印刷ジョブに指定された識別名称と同一の識別名称が前記記憶手段に登録された排紙口が存在するかどうかを検索する第１の検索手段と、前記各排紙口から空の排紙口を検索する第２の検索手段と、前記第１の検索手段，第２の検索手段の検索結果に基づいて、前記印刷ジョブの印刷結果を排紙する排紙口を決定する決定手段と、前記決定手段により決定された排紙口の識別名称が前記記憶手段に登録されていない場合、前記印刷ジョブに指定されている識別名称を前記決定手段が決定した排紙口の識別名称として前記記憶手段に登録する登録手段と、前記記憶手段に記憶される各排紙口の積載量を監視し、前記記憶手段に識別名称を登録されている排紙口の積載量が零になった時、該排紙口の識別名称と同一の識別名称が指定されている印刷ジョブの印刷処理を行っていない場合に、該排紙口の識別名称を前記記憶手段から削除する削除手段と、を有し、前記削除手段は、前記記憶手段に同一識別名称を登録されている複数の排紙口の積載量が零になった場合、該排紙口の識別名称と同一の識別名称が指定されている印刷ジョブの印刷処理を行っている場合には、優先順位の一番高い排紙口以外の排紙口の識別名称を前記記憶手段から削除することを特徴とする。
【００４０】
また、本発明は、所定の通信媒体を介して通信可能に接続される複数のデータ処理装置より受信した印刷ジョブの印刷結果を複数の排紙口に排紙可能な画像記録装置において、前記各排紙口の用紙積載量を検知する検知手段と、前記検知手段が検知した各排紙口の用紙積載量と登録される各排紙口の識別名称を各排紙口毎に記憶する記憶手段と、前記印刷ジョブに指定された識別名称と同一の識別名称が前記記憶手段に登録された排紙口が存在するかどうかを検索する第１の検索手段と、前記各排紙口から空の排紙口を検索する第２の検索手段と、前記第１の検索手段，第２の検索手段の検索結果に基づいて、前記印刷ジョブの印刷結果を排紙する排紙口を決定する決定手段と、前記決定手段により決定された排紙口の識別名称が前記記憶手段に登録されていない場合、前記印刷ジョブに指定されている識別名称を前記決定手段が決定した排紙口の識別名称として前記記憶手段に登録する登録手段と、前記記憶手段に記憶される各排紙口の積載量を監視し、前記記憶手段に識別名称を登録されている排紙口の積載量が零になった時、該排紙口の識別名称と同一の識別名称が指定されている印刷ジョブの印刷処理を行っていない場合に、該排紙口の識別名称を前記記憶手段から削除する削除手段と、を有し、前記削除手段は、前記記憶手段に同一識別名称を登録されている複数の排紙口の積載量が零になった場合、該排紙口の識別名称と同一の識別名称が指定されている印刷ジョブの印刷処理を行っている場合には、該印刷ジョブの排紙先に決定されている排紙口以外の排紙口の識別名称を前記記憶手段から削除することを特徴とする。
【００５８】
【発明の実施の形態】
〔第１実施形態〕
以下、本発明における実施形態を説明する。
【００５９】
図１は、複数のユーザが共有する画像記録装置の排紙ビンを使って、印刷時に自分の排紙ビンを動的に割り当てていくユーザセパレート自動モードの運用をスムーズに実現する方法を示す概念図であり、この図を元に実際の運用について説明する。
【００６０】
なお、本発明の排紙方法は目的に応じた印刷ジョブの仕分けをフレキシブルに行うもので、１ジョブ毎，ユーザ毎に限ったものではないのが、これ以降の説明では、広い意味でのユーザセパレートと定義し、ユーザセパレート自動モードと呼ぶこととする。
【００６１】
図に示すように、画像記録装置を５つのホストコンピュータ、すなわち５人のユーザで共有して使用する場合の例を説明する。
【００６２】
図において、１０２は画像記録装置（プリンタ）で、外部装置（ホストコンピュータ１０１（１０１Ａ，１０１Ｂ，１０１Ｃ，１０１Ｄ，１０１Ｅ））と所定の通信媒体、例えばＥｔｈｅｒｎｅｔ等のＬＡＮを介して接続され、各ホストコンピュータから送信される画像情報に基づいて記録媒体に画像記録を行い、ビン１〜７に排紙出力する。
【００６３】
各ホストコンピュータ１０１Ａ，１０１Ｂ，１０１Ｃ，１０１Ｄ，１０１Ｅのユーザはそれぞれｓａｋａｉ，ｕｔｓｕ，ｋａｋｋｙ，ｙｕｉｃｈｉ，ｊｍｏｒｉで、ホストコンピュータを立ち上げ、ユーザがログインする時に、上記各名称がデフォルト値として登録される。
【００６４】
この名称はユーザの編集が可能であり、ホストコンピュータ上のＵＩ（ユーザインタフェース）から入力することができる。
【００６５】
まず、画像記録装置の運用を決めた上で、画像記録装置の排紙モードの設定について、画像記録装置の操作パネル又は、ホストアプリケーションにより、本実施形態のモードを示すユーザセパレート自動モードを選択しておく。
【００６６】
図２は、図１に示したユーザセパレート自動モードの運用をスムーズに実現する方法を示す概念図である。
【００６７】
図に示すように、ビン４に排紙されているユーザｓａｋａｉの印刷ジョブの印刷処理中にビン１〜ビン４の用紙を取り除いても、処理中のユーザｓａｋａｉの印刷ジョブは同一のビン４に排紙されている。
【００６８】
図３は、図１に示した各ホストコンピュータ１０１上のホストアプリケーションによりプリンタ１０２の排紙モードの設定を行う画面の一例を示す模式図であり、後述する図６に示すホストコンピュータ１０１のＣＲＴ１０に表示される。
【００６９】
図において、５００は給排紙設定画面で、画像記録装置１０２の給紙モードおよび排紙モードを設定することができる。
【００７０】
５０１は給紙部設定エリアで、ここでは「自動」が設定されている。５０２は自動給紙表示エリアで、給紙部設定エリア５０１が「自動」に設定されている場合に給紙可能な給紙部が表示される。５０３はトレイ優先設定エリアで、給紙部設定エリア５０１が「自動」に設定されている場合に、トレイ優先の有無を選択することができ、ここではトレイ優先が選択されている。
【００７１】
５０４はトレイ用紙サイズ設定部で、トレイに格納されている用紙サイズ、例えばＡ４，Ｂ５，レター，エグゼクティブ等を設定することができ、ここでは「エグゼクティブ」が設定されている。５０５は用紙名称設定ウインドウ表示ボタンで、このボタンを不図示のキーボード又はポインティングデバイスで指示することにより不図示の用紙名称設定ウインドウを表示して、用紙名称を設定することができる。
【００７２】
５１１は排紙部設定エリアで、ここでは「自動」が設定されている。５１２は自動排紙設定エリアで、排紙部設定エリア５１１が「自動」に設定されている場合に設定可能であり、ここでは「ユーザセパレート」が設定されている。５１３はユーザセパレート設定エリアで、自動排紙設定エリア５１２が「ユーザセパレート」に設定されている場合に、「自動」又は「固定」を選択的に設定することができ、ここでは自動が設定されている。
【００７３】
５１４はビン名称称設定ウインドウ表示ボタンで、ユーザセパレート設定エリア５１３で「固定」を選択した場合、このボタンを不図示のキーボード又はポインティングデバイスで指示し不図示のビン名称設定ウインドウを表示して、ビン名称を設定することができる。
【００７４】
５２１はＯＫボタンで、このボタンを不図示のキーボード又はポインティングデバイスで指示することにより、給排紙設定画面５００の設定を有効（即ち、プリンタ１０２に登録指示を送信する）にして、給排紙設定画面５００を終了させる。５２２はキャンセルボタンで、このボタンを不図示のキーボード又はポインティングデバイスで指示することにより、給排紙設定画面５００の設定を無効にして、給排紙設定画面５００を終了させる。
【００７５】
５２３は更新ボタンで、このボタンを不図示のキーボード又はポインティングデバイスで指示することにより、給排紙設定画面５００の設定を有効（即ち、プリンタ１０２に登録指示を送信する）にすることができる。５２４はヘルプボタンで、このボタンを不図示のキーボード又はポインティングデバイスで指示することにより、不図示のヘルプウインドウを表示することができる。
【００７６】
図３に示した例では、画像記録装置１０２の排紙モードは、「ユーザセパレート自動」に設定されている。
【００７７】
なお、上記図３に示した給排紙設定画面５００による給紙モード，排紙モードの設定は、通常、運用方法を決めてから画像記録装置設置時に１回だけ行えば良い。
【００７８】
次に、印刷時に目的に合わせた識別名称の設定を行なう場合の説明を行う。
【００７９】
図４，図５は、図１に示した各ホストコンピュータ１０１上のホストアプリケーションにより印刷時の排紙モードの設定を行う画面の一例を示す模式図であり、後述する図６に示すホストコンピュータ１０１のＣＲＴ１０に表示される。
【００８０】
図４，図５において、６００は印刷時の排紙モード設定画面である。
【００８１】
６０１は７ビンソータ装着表示で、画像記録装置１０２が７ビンソータを装着していることを示す。６０２は排紙方法設定エリアで、ここではユーザセパレートが設定されている。
【００８２】
また、ユーザセパレートを選択すると、プリンタ１０２に予め設定されているユーザセパレートの種類（自動）にマッチしたＵＩ（ビン名称設定エリア６０３，ビン名称入力エリア６０４）が表示される。
【００８３】
ビン名称設定エリア６０３は、ユーザセパレート自動設定時、「ログイン名をビン名称として使う」か、「ビン名称をカスタマイズして使う」かを選択できる。
【００８４】
ビン名称入力エリア６０４は、ビン名称を設定エリア６０３により「ビン名称をカスタマイズして使う」を選択した場合のビン名称を、使用する名称、例えば「柿木」を入力するか、「ホスト別仕分け」，「グループ名別仕分け」，「アプリケーション別仕分け」，「用紙サイズ別仕分け」，「用紙タイプ等の紙種」，「ファイル名称別仕分け」，「時間帯別仕分け」，「日付別仕分け」等の選択肢の中から１つを選択する。なお、「ホスト別仕分け」，「グループ名別仕分け」，「アプリケーション別仕分け」，「用紙サイズ別仕分け」，「用紙タイプ等の紙種」，「ファイル名称別仕分け」，「時間帯別仕分け」，「日付別仕分け」等の選択肢は、後述する図６のＲＯＭ３、ＲＡＭ２内の不揮発性メモリ、又は外部メモリ１１等に記憶されているものとする。また、ビン名称入力エリア６０４に新規に入力されたビン名称は、図６のＲＡＭ２内の不揮発性メモリ、又は外部メモリ１１等に記憶され、次回より選択肢の一つとするように構成してもよい。
【００８５】
６０５は標準に戻すボタンで、このボタンを不図示のキーボード又はポインティングデバイスで指示することにより、印刷時の排紙モード設定画面６００の設定を標準設定に戻す。
【００８６】
６１０は部単位印刷指定チェックボックスで、このチェックボックスを不図示のキーボード又はポインティングデバイスで指示することにより、複数部数印刷する場合、部単位での印刷を設定する。
【００８７】
６０６はＯＫボタンで、このボタンを不図示のキーボード又はポインティングデバイスで指示することにより、印刷時の排紙モード設定画面６００の設定を有効にして、印刷時の排紙モード設定画面６００を終了させる。６０７はキャンセルボタンで、このボタンを不図示のキーボード又はポインティングデバイスで指示することにより、印刷時の排紙モード設定画面６００の設定を無効にして、印刷時の排紙モード設定画面６００を終了させる。
【００８８】
６０８は適用ボタンで、このボタンを不図示のキーボード又はポインティングデバイスで指示することにより、印刷時の排紙モード設定画面６００の設定を有効にすることができる。６０９はヘルプボタンで、このボタンを不図示のキーボード又はポインティングデバイスで指示することにより、不図示のヘルプウインドウを表示することができる。
【００８９】
図４はビン名称を設定エリア６０３で「ログイン名をビン名称として使う」を選択した場合（デフォルト設定）に対応し、この設定を行ったユーザからの印刷ジョブは、ユーザ毎仕分けされて排紙される。また図５はビン名称を設定エリア６０３で「ビン名称をカスタマイズして使う」を選択した場合に対応し、この設定を行ったユーザからの印刷ジョブは、ビン名称入力エリア６０４に入力された「柿木」で仕分けされて排紙される。
【００９０】
本実施形態においては、ユーザ毎の仕分け又は目的別の仕分けの場合について説明を行っているが、ユーザ毎の仕分けで運用を行いたいユーザに関しては、デフォルト設定のままで良く何もしなくても良い。図４においてＯＫボタン６０６を指示することによりユーザ毎仕分けが可能となる。
【００９１】
一方、目的別仕分けを行いたいユーザに関しては、図５に示したようにビン名称設定エリア６０３で「ビン名称をカスタマイズして使う」を選択し、ビン名称入力エリア６０４で、使用する名称の入力を行うか、「ホスト別仕分け」，「アプリケーション別仕分け」，「用紙サイズ別仕分け」，「用紙タイプ等の紙種」，「ファイル名称別仕分け」，「時間帯別仕分け」等の選択肢の中から１つを選択してＯＫボタン６０６を指示する。
【００９２】
上記必要な設定を行った後、ユーザセパレート指定で印刷指示を行なうだけで、目的別の仕分けが可能となる。
【００９３】
また、図４及び図５の画面（印刷時の排紙モード設定画面６００）から分かるように、ユーザは排紙口を指定する必要はなく、印刷データをユーザセパレート設定で送信するだけで、予め図４，図５の印刷時の排紙モード設定画面６００により設定しておいた所望の仕分けを行うことが可能となる。
【００９４】
ユーザセパレート自動モードで各ユーザが排紙を行い、例えば図２に示すようにビン１〜ビン３をユーザｋａｋｋｙ、ビン４をユーザｓａｋａ上が使用している状態となったとする。
【００９５】
また、図２では、各ビンの積載量はそれぞれ、ビン１…１００％、ビン２…１００％、ビン３…２０％、ビン４…１００％、ビン５…０％、ビン６…０％、ビン７…０％となっている。
【００９６】
この状況で、ユーザｋａｋｋｙは印刷ジョブが溜っているのでビン１〜ビン３の自分の印刷ジョブを取り除きを行ない、またユーザｓａｋａｉは、まだ印刷途中であるが出力結果を早くみたいためにビン４の自分の印刷ジョブを全て取り除きを行い、結果全てのビンが空になったとする。
【００９７】
印刷時にダイナミックに登録を行い、用紙取り除きにより登録の解除を行うユーザセパレート自動モードでは、上記状況では空になった排紙ビンの名称登録の解除を行うが、本実施形態では、印刷処理中のジョブのチェックを行ってから、実際に削除を行うかどうかを決定する。
【００９８】
つまり、ユーザｋａｋｋｙの使用しているビン１〜ビン３については、ユーザｋａｋｋｙの印刷処理中のジョブが画像処理装置中にないので、登録の解除を行うが、ユーザｓａｋａｉのジョブに関しては、まだ印刷処理中であるために、ビンが空になっても登録の解除を行わない。
【００９９】
このようにして、一旦決定した排紙ビンに対して、印刷処理中にユーザが用紙取り除きのオペレーションを行ったとしても登録の解除を行わず、ユーザが残りの印刷ジョブの排出位置を容易に判断できるようにする。
【０１００】
図６は、図１に示したホストコンピュータ１０１の構成を説明するブロック図である。
【０１０１】
図において、１はＣＰＵで、ＲＯＭ３のプログラム用ＲＯＭに記憶されたプログラム（種々のアプリケーションプログラム，プリンタドライバ等）に基づいてプリンタ１０２とデータを通信することができ、システムデバイス４に接続される各デバイスを統括制御する。
【０１０２】
また、ＲＯＭ３のフォント用ＲＯＭにはフォントデータ等を記憶し、ＲＯＭ３のデータ用ＲＯＭは各種データを記憶する。２はＲＡＭで、ＣＰＵ１の主メモリ，ワークエリア等として機能する。
【０１０３】
５はキーボードコントローラ（ＫＢＣ）で、キーボード９ａや不図示のポインティングデバイスからのキー入力を制御する。６はＣＲＴコントローラ（ＣＲＴＣ）で、ＣＲＴディスプレイ（ＣＲＴ）１０の表示を制御する。７はメモリコントローラ（ＭＣ）で、フォントデータ，ユーザファイル，編集ファイル等を記憶するハードディスク（ＨＤ），フロッピーディスク（ＦＤ）などの外部メモリ１１とのアクセスを制御する。
【０１０４】
８はプリンタコントローラ（ＰＲＴＣ）で、所定の通信媒体（ＩＥＥＥ１２８４等で規定されているローカルインタフェースでもＥｔｈｅｒｎｅｔのようなネットワークインタフェースでもよい）を介してプリンタ１０２に接続され、プリンタ１０２との通信制御処理を実行する。
【０１０５】
なお、ＣＰＵ１は、たとえばＲＡＭ２上に設定された表示情報ＲＡＭへのアウトラインフォントの展開処理を実行し、ＣＲＴ１０上でのＷＹＳＩＷＹＧを可能としている。
【０１０６】
また、ＣＰＵ１は、ＣＲＴ１０上の不図示のマウスカーソル（ポインタ）等で指示されたコマンドに基づいて登録された種々のウインドウを開き、種々のデータ処理を実行する。
【０１０７】
さらに、ＲＡＭ２は、内部にＮＶＲＡＭ等の不揮発性メモリを有するものとする。
【０１０８】
以下、図７，図８を参照して、図１に示した本発明のデータ処理装置および画像記録装置を適用可能な画像記録システムの概念の印刷時の詳細な説明を行う。
【０１０９】
図７は、本発明のデータ処理装置および画像記録装置を適用可能な画像記録システムの第１の処理手順を示すフローチャートであり、ユーザセパレート自動排紙指定時に使用する識別名称を選択する処理手順に対応し、図６に示したホストコンピュータ１０１内のＣＰＵ１がＲＯＭ３又はその他の記憶媒体に格納されたプログラムに基づいて実行する。なお、Ｓ３０１〜Ｓ３０６は各ステップを示す。
【０１１０】
まず、ステップＳ３０１において、識別名称を登録するか否かを判定する。即ち、ユーザセパレート自動モードでの排紙をユーザが指示したか否かを判定する。
【０１１１】
ステップＳ３０１で識別名を登録しない、即ちユーザセパレート自動モード以外の排紙をユーザが指示した場合は、識別名を登録する必要がないので、そのまま処理を終了する。
【０１１２】
一方、ステップＳ３０１で識別名を登録する、即ちユーザセパレート自動モードでの排紙をユーザが指示した場合は、ビン名称設定エリア６０３でユーザはどの識別名称を使用するか選択するためにステップＳ３０２に進む。
【０１１３】
ステップＳ３０２において、識別名称を編集する、即ちビン名称をカスタマイズして使うか否かを行うかを判定し、識別名称を編集しない（ビン名称設定エリア６０３で「ログイン名をビン名称として使う」を選択した）と判定された場合は、識別名称を編集する必要がないので、そのまま処理を終了する。
【０１１４】
一方、ステップＳ３０２で識別名称を編集する（ビン名称設定エリア６０３で「ログイン名をカスタマイズして使う」を選択した）と判定された場合は、ステップＳ３０３において、識別名称のジャンルを選択するか否かを判定し、識別名称のジャンルを選択すると判定された場合は、ステップＳ３０５に進み、ビン名称入力エリア６０４で、選択肢の中から、例えば「ホスト別仕分け」，「アプリケーション別仕分け」，「用紙サイズ別仕分け」，「ファイル名称別仕分け」，「時間帯別仕分け」等の中から１つを選択し、ステップＳ３０６に進む。
【０１１５】
一方、ステップＳ３０３で識別名称のジャンルを選択しないと判定された場合は、ステップＳ３０４に進み、ビン名称入力エリア６０４で、名称入力を行い、ステップＳ３０６に進む。
【０１１６】
次に、ステップＳ３０６において、ユーザ設定情報（排紙モード設定画面６００上で設定した情報（識別名称等））をＲＡＭ２内の不揮発性メモリ又はハードディスク等の外部メモリ１１に記憶し、処理を終了する。
【０１１７】
なお、記憶されたユーザ設定情報は、ユーザセパレート自動モード指定の印刷時に印刷データに付加する情報を決定するために使用される。
【０１１８】
次に、上記図７のフローチャートに示したユーザ設定の後、ユーザが印刷指示を行った後の印刷データ作成及び送信の処理について、以下図８を用いて説明する。
【０１１９】
図８は、本発明のデータ処理装置および画像記録装置を適用可能な画像記録システムの第２の処理手順を示すフローチャートであり、印刷指示があった時に画像記録装置へ送信する印刷データを作成するホストコンピュータ上の処理手順に対応し、図６に示したホストコンピュータ１０１内のＣＰＵ１がＲＯＭ３又はその他の記憶媒体に格納されたプログラムに基づいて実行する。なお、Ｓ４０１〜Ｓ４０５は各ステップを示す。
【０１２０】
ユーザからの印刷指示があると、先ずステップＳ４０１において給排紙の設定等の制御情報を作成する。
【０１２１】
次に、ステップＳ４０２において、ユーザセパレート自動モード指定か否かを判定し、ユーザセパレート自動モードでないと判定された場合は、ステップＳ４０３において各モードに合わせた排紙指定を行ってデータを作成し、ステップＳ４０４において、画像記録装置へのデータ送信を行う。
【０１２２】
一方、ステップＳ４０２でユーザセパレート自動モード指定であると判定された場合は、ステップＳ４０５において、図７のＳ３０６において記憶（設定）しておいた識別の為のユーザ設定情報を元に、印刷データに付加する識別名称を決定する。
【０１２３】
デフォルトであればログイン名称、ユーザが編集した名称が登録されている場合は、予め入力しておいたユーザ名称を付加し、その他ホスト別仕分け（ホストＩＤ）、アプリケーション別仕分け（識別子）、用紙サイズ別仕分け（指定用紙サイズ）、ファイル名称別仕分け（ファイル名）、時間帯別仕分け（時刻）等の選択が行われていたら、ホストコンピュータ内で管理する各情報を付加するように決定する。
【０１２４】
次に、ステップＳ４０３において、データ作成を行う。この時、ステップＳ４０５で付加決定した識別情報がある場合は、その識別情報を印刷データに付加した印刷ジョブを作成する。
【０１２５】
次に、ステップＳ４０４において、画像記録装置１０２への印刷ジョブのデータ送信を行う。
【０１２６】
なお、印刷ジョブが排紙完了したら、ジョブ終了通知を画像記録装置１０２から受け取って、例えば図９に示すような表示をホストコンピュータ１０１上で行い、実際にユーザが使用している排紙ビンを認識できるようにしてある。
【０１２７】
図９は、図１に示した画像記録装置１０２からホストコンピュータ１０１に通知される印刷終了通知を示す模式図であり、ホストコンピュータ１０１の表示部に表示される。
【０１２８】
この表示により、ユーザは、自分の印刷ジョブがいずれのビンに排紙されたかを一目で認識することができる。
【０１２９】
次に、図１０〜図２２を参照して、図１に示した画像記録装置１０２の構成について説明する。
【０１３０】
図１０は、図１に示した画像記録装置１０２を適用可能なレーザビームプリンタの構成を説明するブロック図である。
【０１３１】
なお、本実施形態を適用する画像記録装置は、レーザビームプリンタに限られるものではなく、インクジェットプリンタ等他のプリント方式のプリンタでも良いことは言うまでもない。
【０１３２】
また、以下の説明および図においては、オプションユニットを２台接続した例を説明するが、更に多くのオプションユニットを接続可能であり、またオプションユニットの機能を本体が共有しても構わない。
【０１３３】
図において、レーザビームプリンタ（プリンタ）１０２は、各種オプション装置が接続可能であり、ホストコンピュータ等の外部機器１０１と汎用インタフェース（例えばセントロニクス、ＲＳ２３２Ｃ，ＵＳＢ等），ネットワーク（例えばＥｔｈｅｒｎｅｔ等）で接続され、汎用インタフェースを介して外部機器１０１から転送される印刷情報（所定のプリンタ言語に基づくコードデータ等の制御情報、例えばＰｏｓｔ  Ｓｃｒｉｐｔ，ＬＩＰＳＩＩＩ，ＬＩＰＳＩＶ，イメージデータ等を含む）に基づく画像記録を行なう。
【０１３４】
１０３はビデオコントローラで、外部機器１０１と前記汎用インタフェースで接続され、外部機器１０１から前記汎用インタフェースを介して転送されるコードデータ（ＥＳＣコード、各種ＰＤＬデータ等）を受信し、該コードデータに基づくドットデータ等からなるページ情報を生成し、ビデオインタフェース８０を介して後述するエンジンコントローラ１０５に対してイメージデータ（２値又は多値）を送信するとともに、統括インタフェース９０を介して後述するオプションコントローラ部１０６に対して給紙指定及び排紙指定のコマンド等を送信する。エンジンコントローラ１０５は、前記ビデオコントローラ１０３から転送されるイメージデータに基づいて、周知の電子写真プロセスによって感光ドラム上に潜像を形成し、供給される用紙に転写、定着して印字を行なう。なお、この時、オプションコントローラ部１０６に対して給排紙のタイミングの指示等を行なう。
【０１３５】
１０４はパネル部で、操作のための各種スイッチ（ボタン）、ＬＥＤ表示器、ＬＣＤ表示器等から構成されるユーザとのインタフェースであり、ユーザはパネル部１０４を操作することによりプリンタ１０２に所定の動作を指示することができる。なお、ユーザにより設定された各種データ等は図示しない不揮発性メモリ、例えばＮＶＲＡＭ，ＥＥＰＲＯＭ等に記憶管理される。
【０１３６】
オプションコントローラ部１０６は、図示しないＣＰＵ，ＲＯＭ，ＲＡＭ等を備え、前記ビデオコントローラ１０３から転送される給排紙指定等及びエンジンコントローラ１０５からの給排紙指示等に基づいて、１台以上のオプション装置（ユニット）を統括して制御する統括コントローラであり、各種オプション装置に具備されるオプションコントローラユニットとオプションユニットインタフェース７０を介して通信を行ない、各種オプション装置を統括的に制御する。
【０１３７】
また、オプションコントローラ部１０６のＲＡＭ内には、ビデオコントローラ１０３がアクセス可能な共有メモリ（後述する図１６に示す）があり、該共有メモリは約４０頁分の搬送状況管理エリア、基本ステータスエリア、コマンドステータス管理エリア、立ち上げ処理エリア等から構成され、ビデオコントローラ１０３は、上記共有メモリの各エリアを介して各オプション装置に対する指定を行なう。
【０１３８】
なお、上記搬送状況管理エリアは、ビデオコントローラ１０３が印字方法（給紙口、排紙口、色、ステイプルする、シフトする等）を各オプション装置へ通知する領域と、各オプション状態（どこまで印字した、排紙完了した等）をビデオコントローラ１０３に通知する領域から構成される。
【０１３９】
また、基本ステータスエリアは、各オプション装置の異常（ＪＡＭ，紙なしステイプル針なし等）をビデオコントローラ１０３に通知する領域で、コマンド＆ステータス管理エリアは、ビデオコントローラ１０３とコマンドステータスのやりとりを行なう領域で、立ち上げ処理エリアは、ビデオコントローラ１０３が各オプション装置の立ち上げ処理を指定する領域である。
【０１４０】
１０７は給紙オプション装置（ユニット）であり、例えばペーパデッキオプションユニットで、内部にペーパデッキコントローラ（大容量給紙カセットコントローラ）１０７ａを有し、オプションコントローラ部１０６から送信される制御情報に基づいて給紙制御を行なう。なお、上記ペーパデッキコントローラ１０７ａは、不図示のＣＰＵ，ＲＯＭ，ＲＡＭを備え、ＣＰＵがＲＯＭに格納されてプログラムに基づいて給紙オプション装置１０７を制御する。また、ＲＯＭには給紙オプション装置１０７の拡張情報、例えばペーパデッキに格納可能な用紙サイズの情報等が格納されている。
【０１４１】
１０８は排紙オプション装置（ユニット）であり、例えばソート機能を有するソータオプションユニットで、内部にソーターコントローラ（大容量排紙スタッカコントローラ）１０８ａを有し、オプションコントローラ部１０６から送信される制御情報に基づいてソート動作及び排紙動作を行なう。なお、上記ソーターコントローラ１０８ａは、不図示のＣＰＵ，ＲＯＭ，ＲＡＭを備え、ＣＰＵがＲＯＭに格納されたプログラムに基づいて排紙オプション装置１０８を制御する。また、ＲＯＭには排紙オプション装置１０８の拡張情報例えば、排紙ビンの数、ソート機能の有無、ステイプル機能の有無、排紙用紙を所定の方向にずらすシフト機能の有無、排紙用紙のフェースの向きを反転させる反転機能の有無の情報等が格納されている。
【０１４２】
なお、給紙オプション装置１０７及び排紙オプション装置１０８には表示部及び各種キーを備える操作部（コントローラ）１０７ｂ及び１０８ｂがそれぞれ設けられ、各オプション使用時のユーザに対するメッセージ及び操作方法等を表示及び操作が可能となっている。
【０１４３】
また、１０９は制御ユニットで、プリンタ１０２の印字プロセス制御を行なうエンジンコントローラ１０５、プリンタ１０２全体の制御とホストコンピュータ等の外部機器１０１からのデータを解析しイメージデータに変換するビデオコントローラ１０３、各種オプションユニットを統括して制御するオプションコントローラ部１０６により構成されている。
【０１４４】
なお、オプションコントローラ部１０６は、共通のオプションユニットインタフェース７０によって各オプションユニットを管理し、統括インタフェース９０を介してビデオコントローラ１０３と通信する。本実施形態では、各給排紙オプションユニットをオプションコントローラ部１０６を経由してビデオコントローラ１０３が制御することが特徴である。
【０１４５】
図１１は、図１０に示したプリンタ１０２の構成を説明する断面図であり、図１０と同一のものには同一の符号を付してある。
【０１４６】
図において、２３０は用紙カセットで、記録紙Ｓを保持し、不図示の仕切り板によって電気的に記録紙Ｓのサイズを検知する機構を有する。２３１はカセット給紙クラッチで、用紙カセット２３０上に載置された記録紙Ｓの最上位の記録紙一枚のみを分離し、不図示の駆動手段によって分離した記録紙Ｓを給紙ローラ２０４まで搬送させるカムであり、給紙のたびに間欠的に回転し、１回転に対応して一枚の記録紙を給紙する。２３０Ｓは記録紙検知センサで、用紙カセット２３０に保持された記録紙Ｓの量を検知する。
【０１４７】
２２７はレジストシャッタで、用紙を押圧して給紙を停止させる。給紙ローラ２０４は、記録紙Ｓの先端部をレジストシャッタ２２７まで搬送する。２０２は手差用トレイで、記録紙Ｓを載置する。２０３は手差し給紙クラッチで、手差し用トレイ２０２に載置された記録紙Ｓをレジストシャッタ２２７まで搬送する。２３３はオプション給紙ローラ（給紙中継搬送ローラ）で、給紙オプション１０７から給紙された記録紙Ｓをプリンタ１０２本体内へ供給する。
【０１４８】
また、前記手差し給紙ローラ２０３、カセット給紙クラッチ２３１、オプション給紙ローラ２３３の下流には、記録紙Ｓを同期搬送するレジストローラ対２０５が設けられ、レジストローラの下流には、レーザスキャナ部２０６から発したレーザ光によって、記録紙Ｓ上にトナー像を公知の電子写真プロセスにより形成する画像記録部２０７が設けられている。
【０１４９】
レーザスキャナ部２０６において、２１５はレーザユニットで、ビデオコントローラ１０３から送出される画像信号（ＶＤＯ信号）に基づいてレーザ光を発する。レーザユニット２１５から発せられたレーザ光は、ポリゴンミラー２１６により走査され、結像レンズ群２１８及び折返ミラー２１９を介して感光ドラム２２０上に潜像を形成する。２１７はビーム検出器で、レーザユニット２１５から発せられたレーザ光を検知して主走査同期信号を出力する。２７０は光量センサで、レーザユニット２１５から発せられたレーザ光の光量を検知する。
【０１５０】
また、画像記録部２０７において、２２２は一次帯電器で、感光ドラム２２０上を均一に帯電させる。２２３は現像器で、一次帯電器２２２により帯電され、レーザスキャナ部２０６によりレーザ露光されて感光ドラム２２０に形成された潜像をトナー現像する。２２４は転写帯電器で、前記現像器２２３により現像された感光ドラム２２０上のトナー像をレジストローラ２０５により給紙される記録紙Ｓに転写する。２２５はクリーナで、感光ドラム２２０上の残存トナーを取り除く。２２１は前露光ランプで、感光ドラム２２０を光除電する。
【０１５１】
２０８は定着器で、画像記録部２０７により記録紙Ｓに形成されたトナー画像を記録紙Ｓに熱定着させる。２１０は搬送ローラで、記録紙Ｓを排紙搬送する。２０９は排紙センサで、記録紙Ｓの排紙状態を検知する。２１１はフラッパで、記録が完了した記録紙Ｓの搬送方向を排紙トレイ２１３側又は排紙オプション１０８側に切り換える。２１４及び２１２は排紙ローラで、フラッパ２１１の切り換えにより搬送される記録紙Ｓを積載トレイ２１３に排紙する。２１３Ｓは排紙積載量検知センサで、積載トレイ２１３上に積載された記録紙Ｓの積載量を検知する。
【０１５２】
また、制御ユニット１０９内のエンジンコントローラ１０５は、レーザスキャナ部２０６、画像記録部２０７、定着器２０８による電子写真プロセスの制御、及びプリンタ１０２本体内の記録紙の搬送制御を行なう。
【０１５３】
さらに、ビデオコントローラ１０３は、パーソナルコンピュータ等の外部機器１０１と汎用インタフェース（例えばセントロニクス、ＲＳ２３２Ｃ等）で接続され、汎用インタフェースを介して送られてくる画像情報をビットデータに展開し、そのビットデータをＶＤＯ信号として、ビデォィンタフェース８０を介してエンジンコントローラ１０５へ送る。
【０１５４】
次に、プリンタ１０２本体に着脱可能に接続された各種オプションユニットについて説明する。
【０１５５】
図１０に示したオプションコントローラ部１０６は、図１１に示したプリンタ本体内に設けられ、各種オプションユニットを共通パスとなるオプションユニットインタフェース７０を介して同一のプロトコルで通信可能に構成されている。また、オプションコントローラ部１０６は、統括インタフェース９０を介してビデオコントローラ１０３に接続される。
【０１５６】
ペーパデッキオプションユニット等の給紙オプション装置１０７において、２４１はペーパデッキで、昇降するデッキ上に記録紙Ｓを大容量に積載する。２４２はペーパデッキ給紙ローラで、ペーパデッキ２４１上に積載された記録紙Ｓを給紙する。
【０１５７】
２４４は搬送ローラで、ペーパデッキ給紙ローラ２４２から給紙される記録紙Ｓをオプション給紙ローラ２３３方向に搬送する。２４３は給紙中継搬送ローラで、ペーパデッキオプションの下部に着脱可能に複数接続可能な他の給紙系オプションユニット（異なるサイズ又は同一サイズの記録紙を給紙可能なオプションユニット）から給紙される記録紙を中継搬送する。また、２４１は記録紙格納量検知センサで、ペーパデッキ２４１上に載置された記録紙Ｓの載置量を検知する。
【０１５８】
なお、ペーパデッキオプションユニット等の給紙オプション装置１０７は、ペーパデッキコントローラ１０７ａによって制御される。
【０１５９】
ソータオプションユニット等の排紙オプション１０８において、２５１〜２５７はフェースダウン排紙を行なう第１排紙ビン〜第７排紙ビンで、記録済みの記録紙Ｓを仕分けして積載するものである。また、２５８はソータオプションへ搬入された用紙をそのままストレートに通紙し、フェースアップ排紙を行なう第８排紙ビンである。２８０はフラッパで、プリンタ１０２本体のフラッパ２１１により振り分けられソータオプションユニット１０８に送られた記録紙Ｓをビデオコントローラ１０３からの指示に基づいて用紙のフェース切り換えを行なうように搬送切り換えを行なう。また、２６１Ｓ〜２６８Ｓは排紙エンプティ検知センサで、第１排紙ビン２５１〜第８排紙ビン２５８に排紙される記録用紙の積載用紙有り無しを検知する。
【０１６０】
さらに、排紙積載量検知センサ２７１Ｓ〜２７８Ｓは、前記第１排紙ビン２５１〜第８排紙ビン２５８上に積載された記録紙の積載量（積載量ゼロ（空）〜満載）を検知し、前記第１排紙ビン２５１〜第８排紙ビン２５８に積載された記録用紙の高さが例えば１８ｍｍ（約１２０枚に相当）に到達した（検知した）時点で、ソータコントローラ１０８ａが満載をオプションコントローラ部１０６を介してビデオコントローラ１０３に通知する。
【０１６１】
また、上記第１排紙ビン２５１〜第８排紙ビン２５８は、各ビンで約１２０枚、つまり８ビンで約９６０枚積載可能であり、そのうち第１排紙ビン２５１〜第７排紙ビン２５７はソート排紙を行なうことが可能である。
【０１６２】
ビデオコントローラ１０３により統括インタフェース９０を通してフェースアップ指定された場合は、フェースアップフラッパ２８０をオンにし振り分けを行ない、振り分けられた記録紙Ｓは、ローラ２９０によりそのまま排紙口へ送られる。また、ビデオコントローラ１０３により統括インタフェース９０を通してフェースダウン指定された場合は、フェースアップフラッパ２８０をオフにし振分を行ない、振り分けられた記録紙Ｓは、ローラ２９１により一旦記録紙Ｓの後端がフェースアップフラッパ２８０を越えるまで搬送され、次にローラ２９１が反転して記録紙Ｓの後端から縦パスに送り込まれ、指定排紙ビンによってビンフラッパ２８１〜２８６を所定のタイミングで駆動して各フェースダウン排紙口へ振分を行ない、フェースダウン状態で排紙を完了する。排紙ビンが第７排紙ビン２５７の場合、ビンフラッパを駆動せずそのまま排紙を行なうことにより、フェースダウン排紙を完了する。
【０１６３】
さらに、不図示のステイプラにより、ビデオコントローラ１０３により統括インタフェース９０を通してステイプル指定されている場合は、不図示のステイプルトレイに記録紙Ｓを蓄え、記録紙Ｓを整列して、ステイプラがステイプル実行して第１排紙ビン２５１〜第８排紙ビン２５８のいずれかに排紙する。また、ビデオコントローラ１０３により統括インタフェース９０を通してシフト指定されている場合は、ステイプル指定されている場合と同様に、不図示のステイプルトレイに用紙を蓄え、記録紙Ｓを整列し記録紙Ｓをトレイごとずらして、すなわち、排紙される記録紙Ｓの載置域（トレイ）をずらしてから第１排紙ビン２５１〜第８排紙ビン２５８のいずれかに排紙する。また、不図示のステイプル針残量検知センサを有し、ステイプル内に格納されたステイプル針の残量を検知する。
【０１６４】
なお、ソータオプションユニット１０８は、ソータコントローラ１０８ａによって制御される。
【０１６５】
また、オプションコントローラ部１０６、ペーパデッキコントローラ１０７ａ、ソータコントローラ１０８ａは、それぞれコネクタで接続され、オプションユニットインタフェース７０によりシリアル通信を行なう。両者は互いに同じコネクタにより直列接続され、従って、ペーパデッキオプションユニット１０７と、ソータオプションユニット１０８は、その接続順を入れ替えて接続することも可能である。
【０１６６】
なお、前記手差し給紙ローラ２０３、カセット給紙クラッチ２３１、ペーパデッキ給紙ローラ２４２の下流には、記録紙Ｓを搬送する前記レジストローラ対２０５、給紙ローラ２０４、搬送ローラ２４４がそれぞれ設けられ、レジストローラ対２０５の下流には、前記レーザスキャナ部２０６から発せられたレーザ光によって、記録紙Ｓ上にトナー像を形成する画像記録部２０７が設けられている。更に、画像記録部２０７の下流には、記録紙Ｓ上に形成されたトナー像を熱定着する定着器２０８が設けられ、定着器２０８の下流には、排紙部の搬送状態を検知する排紙センサ２０９、記録紙を搬送する搬送ローラ２１０、記録が完了した記録紙Ｓの搬送方向を切り換えるフラッパ２１１等が設けられている。
【０１６７】
図１２は、図１０に示したプリンタ１０２の構成を説明するブロック図であり、図１０と同一のものには同一の符号を付してある。
【０１６８】
図において、９１はシリアル通信インタフェースで、ペーパデッキオプションユニット１０７への給紙指定やソータオプションユニット１０８への排紙ビン指定等のコマンドが、ビデオコントローラ１０３からオプションコントローラ部１０６に送信され、ペーパデッキオプションユニット１０７の紙有無状態やソータオプションユニット１０８の各排紙ビンの積載状態、ステイプル針の有無状態等のステータスがオプションコントローラ部１０６とビデオコントローラ１０３とは、ＣＰＵバスで直結することもできる。
【０１６９】
９２はＯＰＴＲＤＹ信号で、ビデオコントローラ１０３が指定したオプション、例えばステイプルが使用できる状態になっているか否かを示す信号として機能し、オプションコントローラ部１０６からビデオコントローラ１０３に送信される。９３はＰＯＵＴＴ信号で、プリンタ１０２本体が記録紙を排紙するタイミング信号として機能する。９４はＰＦＥＤＴ信号で、プリンタ１０２本体がオプションユニットから記録紙を受け入れるタイミングを示す信号として機能する。９５はＳＰＣＮＧ信号で、オプションユニット内を高速搬送されてきた記録紙Ｓをスピードダウンして、プリンタ１０２本体の搬送速度に整合させるための信号として機能する。
【０１７０】
８１は通信インタフェースで、プリンタ１０２本体の給紙カセットへの給紙指定やプリンタ１０２本体の排紙トレイ２３１への排紙指定及び印字等のコマンドが、ビデオコントローラ１０３からエンジンコントローラ１０５に送信され、プリンタ１０２本体のカセット２３０の紙有無状態や紙づまり等のステータスがエンジンコントローラ１０５からビデオコントローラ１０３に送信される。８２はＶＤＯ信号で、ビデオコントローラ１０３から送信されるビットデータを示す。
【０１７１】
その他、不図示であるが、このエンジンコントローラ１０５による各処理に対する制御は、ビデオコントローラ１０３との間でやりとりされる信号に基づき実行され、その信号として、／ＣＰＲＤＹ、／ＰＰＲＤＹ、／ＲＤＹ、／ＰＲＮＴ、／ＶＳＲＥＱ、／ＶＳＹＮＣ、／ＢＤ、／ＳＣＬＫ、／ＣＭＤ、／ＣＢＳＹ、／ＳＴＳ、／ＳＢＳＹ、／ＣＣＲＴ（Ｃｏｎｄｉｔｉｏｎ  Ｃｈａｎｇｅ  ＲｅｐｏｒＴ）の各信号があり、その詳細は図１３に示す通りである。
【０１７２】
図１３は、ビデオコントローラ（ＶＣ）１０３とエンジンコントローラ（ＥＣ）１０５との間でやりとりされる信号を説明する図である。
【０１７３】
なお、上記信号のうち、／ＣＣＲＴ信号の使用方法を示すと、処理は以下の手順１及び手順２のようになる。
【０１７４】
（手順１）
ビデオコントローラ１０３は通常／ＲＤＹ信号と／ＣＣＲＴ信号とをチェックし、それらの信号に変化があった場合に、ステータスの情報を読みとりにいく。その際、／ＣＣＲＴ信号が”ＦＡＬＳＥ”であり、／ＲＤＹ信号が”ＦＡＬＳＥ”になった場合には、まずミスプリント、ウェイト、スリープ、オペレータコールなどの内容のステータスをチェックするもその結果に応じて、各ビットに応じた下位のステータスを参照して詳細を確認する。
【０１７５】
（手順２）
―方、／ＣＣＲＴ信号が”ＴＲＵＥ”になった場合には、まず用紙サイズ変更、給紙部紙有無変更、給紙部機能変更、警告内容変更などの内容のステータスを読みとり、変更になったステータスの種類を認識して、そのグループのステータスを順次読みとり詳細を認識する。また、／ＣＣＲＴ信号のリセット手順について、エンジンコントローラ１０５は末端のステータス変化、すなわち用紙サイズの変更、用紙の有無の変化、給紙部機能の変更、警告状態の変化を常時チェックし、変化があった場合には、その上位に該当する状態変化ステータスを”１”にセットすると共に、ハード信号である／ＣＣＲＴ信号を”ＴＲＵＥ”にする。その後ビデオコントローラ１０３からのステータス要求コマンドを受信して状態変化ステータスがビデオコントローラ１０３に読み込まれたことをもって、／ＣＣＲＴ信号を”ＦＡＬＳＥ”にする。
【０１７６】
また、統括インタフェース９０は、シリアル通信インタフェース９１、ＯＰＴＲＤＹ信号９２、ＰＯＵＴＴ信号９３、ＰＦＥＤＴ信号９４、ＳＰＣＮＧ信号９５の５本のハード信号とで構成される。
【０１７７】
なお、ＰＯＵＴＴ信号９３、ＰＦＥＤＴ信号９４、ＳＰＣＮＧ信号９５の３信号は、エンジンコントローラ１０５から出力され、ビデオインタフェース８０を介し、ビデオコントローラ１０３をスルーして、オプションコントローラ部１０６へ入力される。上記各信号の詳細は、図１４に示す通りである。
【０１７８】
図１４は、ビデオコントローラ（ＶＣ）１０３，エンジンコントローラ（ＥＣ）１０５とオプションコントローラ（ＯＣ）部１０６との間でやりとりされる信号を説明する図である。
【０１７９】
図１５は、図１０に示したビデオコントローラ１０３の構成を説明するブロック図であり、図１０と同一のものには同一の符号を付してある。
【０１８０】
図において、４０１はパネルインタフェース（Ｉ／Ｆ）部で、パネル部１０４とのデータ通信によって、操作者からの諸設定及び指示をパネル部１０４から受けとる。４０２はホストインタフェース（Ｉ／Ｆ）部で、ホストコンピュータ等の外部機器１０１との信号の入出力部である。４０６はエンジンインタフェース（Ｉ／Ｆ）部で、エンジンコントローラ１０５との信号の入出力部であり、不図示の出力バッファレジスタからデータ信号送出を行なうとともにエンジンコントローラ１０５との通信制御を行なう。
【０１８１】
４０３は画像データ発生部で、外部機器１０１より送られる制御コードデータに基づいて実際の印字のためのビットマップデータを発生する。４０５は画像メモリで、画像データを格納する。
【０１８２】
４０９はＣＰＵで、ビデオコントローラ１０３全体の制御を司る。４０４はＲＯＭで、ＣＰＵ４０９の制御コードを格納する。４０７はＲＡＭで、ＣＰＵ４０９の使用する一時記憶手段として機能する。４１０はＥＥＰＲＯＭで、不揮発性のメモリ媒体で構成される。
【０１８３】
４０８はＤＭＡ制御部で、ＣＰＵ４０９からの指示により画像メモリ４０５内のビットマップデータを、エンジンインタフェース部４０６に転送する。４１２は、オプションインタフェース（Ｉ／Ｆ）部であり、ＣＰＵ４０９からの指示に応じてオプションコントローラ部１０６との通信を行なう。また、ＰＯＵＴＴ信号９３、ＰＦＥＤＴ信号９４、ＳＰＣＮＧ信号９５をエンジンインタフェース部４０６からスルーで統括インタフェース９０に送る。
【０１８４】
４１１はシステムバスで、アドレスバス及びデータバスを持つ。パネルインタフェース部４０１、ホストインタフェース部４０２、画像データ発生部４０３、ＲＯＭ４０４、画像メモリ４０５、エンジンインタフェース部４０６、ＲＡＭ４０７、ＤＭＡ制御部４０８、ＣＰＵ４０９、ＥＥＰＲＯＭ４１０、オプションインタフェース部４１２は、各々システムバス４１１に接続され、システムバス４１１上にある全ての機能部にアクセス可能である。
【０１８５】
なお、ＣＰＵ４０９を制御する制御コードは、不図示のシステムクロックによってタスクと称されるロードモジュール単位で時分割制御するＯＳと、機能単位に動作する複数のロードモジュール（タスク）によって構成されるものとする。
【０１８６】
以上の構成により、ビデオコントローラ１０３は、給排紙口を複数有し、外部機器１０１から入力される印刷情報に基づいて記録媒体に画像を記録可能なプリンタ１０２に給送するあるいは排送する記録媒体のハンドリングを制御する。
【０１８７】
以下、図１６，図１７を参照して、ビデオコントローラ１０３がオプションコントローラ部１０６を通じて、各オプション装置を統括制御する制御方法を説明する。
【０１８８】
図１６は、図１０に示したオプションコントローラ部１０６内に設けられるＲＡＭに確保されるビデオコントローラ１０３との共有メモリの摸式図である。
【０１８９】
図１６に示す共有メモリは、ページ指定を行ない、用紙の搬送状況を知るための搬送状況管理エリア、各オプションの異常状態を知るための基本ステータス部、コマンドステータスのやりとりを行なうコマンドステータス部、オプション装置の立ち上げ処理を指定する立ち上げ処理部とから成る。
【０１９０】
立ち上げ処理部はビデオコントローラ１０３から指定を行なう立ち上げ指定部分と、指定を行なった結果、各オプションが処理を完了したことを通知する完了通知部分とから成る。
【０１９１】
ビデオコントローラ１０３が、この立ち上げ処理部に指定を行なうことにより各オプション類の立ち上げ処理を行なう。電源が投入されると、ビデオコントローラ１０３から、共有メモリの初期化指定、オプションコントローラ部１０６で必要な各オプションのコンフィグレーション情報取得指定、情報取得完了などを立ち上げ指定部分に知らせて、各処理が完了したかどうかを完了通知部分を監視し、全てが完了したら立ち上げ処理終了となる。
【０１９２】
搬送状況管理エリアは、給紙口、排紙口、カラー／モノクロ、ステイプル位置と実行などの印字方法を指定する部分と、用紙をどこまで給紙したか、プリント信号を出して良いか、排紙完了したかなどのオプションの状態を教えてもらう部分とから成る。ビデオコントローラ１０３が、上記印字方法を指定し、各オプションの状態を把握しながら、印字を実行していく。
【０１９３】
上記指定は最大４０ページ分の指定が可能であり、１ページごと順番に指定を行ない、排紙完了した領域は空き領域とみなし、再指定を行なえるように初期化して、リングバッファとして使用する。
【０１９４】
基本ステータス部は、各装置の異常状態を通知するエリアで、紙なし、紙サイズ不一致、ドアオープン、紙づまり、故障、満載、ステイプル針なし等の状態をこの領域から取得する。基本ステータスの内容から、更に詳細な情報をコマンドステータスによって取得する。
【０１９５】
コマンドステータス部は、各オプションの詳細情報取得及びオプションの動作制御を行なうための領域であり、この領域に必要に応じたコマンドを指定し、情報を取得する。例えば、取得可能な情報は、装置名称、給紙実装用紙サイズ、給紙用紙残量、紙づまりの位置、種類、アクセスポイント、排紙用紙の積載量、故障詳細などであり、これらは、後述する図１７に示すように、それぞれの状況に応じたコマンドを発行しステータスを受けとる。また省電力モードへ移行、紙づまり時の緊急停止、排紙ビンの移動、リセット実行などのオプションの制御もコマンドステータス部を使用して行なう。
【０１９６】
図１７は、本発明のデータ処理装置および画像記録装置を適用可能な画像記録システムの第３の処理手順を示すフローチャートであり、図１０に示したビデオコントローラ１０３が、基本ステータスを元にコマンドステータスを発行して入出力各オプションの詳細情報を取得する手順に対応し、図１５に示したビデオコントローラ１０３内のＣＰＵ４０９がＲＯＭ４０４に格納されたプログラムに基づいて実行する。なお、（ａ）は、入力装置の異常を発見した場合に対応し、（ｂ）は、出力装置の異常を発見した場合に対応する。また、Ｓ１０１〜Ｓ１０８，Ｓ１１１〜Ｓ１１７は各ステップを示す。
【０１９７】
まず、（ａ）に示すように、ビデオコントローラ１０３は、図１６に示した共有メモリの基本ステータス部により入力装置の異常を発見すると（Ｓ１０１）、コマンドステータス部にコマンドを指定し、異常装置（入力オプション装置を複数接続している場合は何れの入力装置であるか）を特定する（Ｓ１０２）。
【０１９８】
さらに、コマンドステータス部にコマンドを指定し、異常内容（紙なし、紙サイズ不一致、ドアオープン、紙づまり、故障等）を特定する（Ｓ１０３）。
【０１９９】
次に、特定された異常内容に応じたコマンドを指定し、例えば、紙なしの場合には、紙無しデッキの特定（Ｓ１０４）、及び紙無し要因の特定を行い（Ｓ１０５）、また紙づまりの場合には、紙づまり箇所の特定を行い（Ｓ１０６）、また故障の場合には故障箇所の特定を行う（Ｓ１０７）。
【０２００】
そして、上記コマンドにより取得した異常内容を示すメッセージをパネル部１０４，操作部１０７ｂ，外部機器１０１の表示部等に表示する。
【０２０１】
また、（ｂ）に示すように、ビデオコントローラ１０３は、図１６に示した共有メモリの基本ステータス部により出力装置の異常を発見すると（Ｓ１１１）、コマンドステータス部にコマンドを指定し、異常装置（出力オプション装置を複数接続している場合は何れの出力装置であるか）を特定する（Ｓ１１２）。
【０２０２】
さらに、コマンドステータス部にコマンドを指定し、異常内容（満載、ステイプル針なし、ドアオープン、紙づまり、故障等）を特定する（Ｓ１１３）。
【０２０３】
次に、特定された異常内容に応じたコマンドを指定し、例えば、満載の場合には満載デッキの特定を行い（Ｓ１１４）、また紙づまりの場合には、紙づまり箇所の特定を行い（Ｓ１１５）、また故障の場合には故障箇所の特定を行う（Ｓ１１６）。
【０２０４】
そして、上記コマンドにより取得した異常内容を示すメッセージをパネル部１０４，操作部１０７ｂ，外部機器１０１の表示部等に表示する。
【０２０５】
このように、ビデオコントローラ１０３は上記情報を取得し、異常がない状態で印字を実行し、基本ステータスから異常発生を検知した場合は、異常箇所を特定するコマンドステータスを発行し、更にその装置に対して異常内容を特定し、その異常に応じた詳細な情報収集及び制御を行なっていく。
【０２０６】
図１８は、本発明のデータ処理装置および画像記録装置を適用可能な画像記録システムの第４の処理手順を示すフローチャートであり、図１０に示したビデオコントローラ１０３が、オプションコントローラ部１０６の共有メモリにアクセスを行ない各オプションとコマンドステータスのやりとりを行ない、情報交換する手順に対応し、図１５に示したビデオコントローラ１０３内のＣＰＵ４０９がＲＯＭ４０４に格納されたプログラムに基づいて実行する。なお、Ｓ２０１〜Ｓ２１１は各ステップを示す。
【０２０７】
オプション情報を獲得する場合、オプションコントローラ部１０６が持つメモリ内のコマンドステータス管理エリアへ指定を行ない、情報を受けとる。コマンド指定領域に、必要な情報の種類を識別するＩＤを所定のアドレスに指定し（Ｓ２０１）、実行コマンドでオプションコントローラ部１０６へ指定するデータ数を所定のアドレスに指定し（Ｓ２０２）、指定内容を表すデータを所定のアドレスに指定する（Ｓ２０３）。
【０２０８】
そして、コマンドを送信したことを通知し、オプションコントローラ部１０６が各オプション装置とやりとりを行ない情報を取得するためのトリガをかける（Ｓ２０４）。
【０２０９】
ステップＳ２０４によるトリガと指定内容を元に、オプションコントローラ部１０６は必要なオプション装置とシリアル通信を行ない、指定された情報を得る。一方、オプションコントローラ部１０６が完全に情報を得るまで、タイマーを起動し、ビデオコントローラ１０３がステータス情報を取得可能な状態であるかどうかを監視する（Ｓ２０５，Ｓ２０６）。
【０２１０】
ステップＳ２０５で一定時間経っても、ステップＳ２０６でステータス情報獲得可能状態に移行しない場合は、ステータス情報は獲得できないので、再度コマンド実行するようリトライ通知を行ない（Ｓ２１１）、処理を終了する。
【０２１１】
一方、ステップＳ２０５での一定時間経過前に、ステップＳ２０６でステータス情報獲得可能状態に移行したら、ステータスのＩＤを取得し、指定したコマンドに対するステータス情報かどうかを確認する（Ｓ２０７）。
【０２１２】
次にステータスデータ数を取得し（Ｓ２０８）、ステータスデータ数分のステータスデータを取得し（Ｓ２０９）、オプションコントローラ部１０６に対してステータス獲得完了を通知し（Ｓ２１０）、処理を終了する。
【０２１３】
以下、図１９〜図２２を参照して、図１０に示した外部機器１０１からオプションコントローラ部１０６及びエンジンコントローラ１０５までのデータフローについて説明する。
【０２１４】
図１９は、図１０に示した外部機器１０１からオプションコントローラ部１０６及びエンジンコントローラ１０５までのデータフローを示す図である。
【０２１５】
なお、図１５に示したビデオコントローラ１０３のＣＰＵ４０９を制御する制御コードは、不図示のシステムクロックによってタスクと称されるロードモジュール単位に時分割制御するＯＳと、機能単位に動作する複数のロードモジュール（タスク）によって構成されるものとする。
【０２１６】
図１９に示すトランスレータ処理システム（解析展開タスク１００１）、スケジューリングシステム（ページ操作タスク１００２）、エンジンＩ／Ｆシステム（エンジンＩ／Ｆタスク１００３）、オプションＩ／Ｆシステム（オプションＩ／Ｆタスク１００４）は、上述したようにＣＰＵ４０９を実体とするタスクであり、論理的に並行動作するものとする。
【０２１７】
図２０は、図１５に示したＲＡＭ４０７に格納されるページテーブルの構造を示す図である。
【０２１８】
図において、１１００はページテーブルで、ページ情報を格納する。このページテーブル１１００は、ＣＰＵ４０９において、各ページを論理的に認識するためのテーブルであり、ページテーブル１１００は、「ページ番号」１１０１，「ラスタポインタ」１１０２，「状態フラグ」１１０３，……，「給紙モード」１１０４，「要求用紙サイズ」１１０５，「コピーページＩＤ」１１０６，「処理番号」１１０７，「排紙モード」１１０８，「識別名称」１１０９，「印刷部数」１１１０，「排紙口」１１１１等から構成され、実体は図１５に示したＲＡＭ４０７の不図示の制御情報格納領域に連続領域として存在し、不図示のページ管理機能部またはＣＰＵ４０９によって獲得、解放を管理される。
【０２１９】
ページテーブル１１００内の「ラスタポインタ」１１０２は、図１５に示した画像メモリ４０５中の１ページ分の領域の先頭ポインタであり、ＣＰＵ４０９は電源投入の初期化時に、前記画像メモリ４０５中の不図示の該当領域をページ毎に分割してここにリンクする。
【０２２０】
また、「状態フラグ」１１０３は、ページの状態を示すフラグを格納する領域であり、図２０で示すようにページの展開終了／未終了を示す「展開終了フラグ」１１０３ａ，ページの指定終了／未終了を示す「ページ指定終了フラグ」１１０３ｂ，ページの印字開始／未開始を示す「印字開始フラグ」１１０３ｃ，ページの排紙終了／未終了を示す「排紙終了フラグ」１１０３ｄ，ページ情報展開領域の解放中／未解放中を示す「解放フラグ」１１０３ｅなどがあり、この状態フラグにより作成したページ情報がどういう状態にあるか判断することが可能である。
【０２２１】
さらに、「給紙モード」１１０４は、給紙手段の決定方法を指示するものであり、不図示の「自動給紙」，「カセット１（カセット２３０）給紙」，「ペーパーデッキ（カセット１０７）給紙」，「ＭＰトレイ（手差用紙トレイ２０２）給紙」などがあり、「自動給紙」は、用紙サイズが一致し用紙が載置されている給紙手段から所定の優先順に従って検索し決定するモードである。
【０２２２】
また、「要求用紙サイズ」１１０５は、エンジンコントローラ１０５に対して給紙を依頼する用紙サイズの数値表現が格納される。
【０２２３】
さらに、「識別名称」１１０９には、排紙先の排紙口名称を表す文字列の示す数値が格納される。「印刷部数」１１１０には、印刷部数を示す数値が格納される。「排紙口」１１１１には、排紙先の排紙口を表す数値が格納される。
【０２２４】
図２１は、図１５に示したＲＡＭ４０７に格納されるエンジン状態テーブルの構造を示す図である。
【０２２５】
図において、１２００はエンジン状態テーブルで、ビデオコントローラ１０３において把握されているエンジンコントローラ１０５およびオプション（１０６，１０７，１０８）の状態を示すテーブルであり、「／ＲＤＹ状態」１２０１，「／ＣＣＲＴ状態」１２０２，……，「給紙段数」１２０３，「カセット１紙有無」１２０４，「カセット１紙サイズ」１２０５，「ペーパデッキ紙有無」１２０６，「ペーパデッキ紙サイズ」１２０７，「ＭＰトレイ紙有無」１２０８，「ＭＰトレイ紙サイズ」１２０９等により構成され、実際のエンジンコントローラ１０５およびオプション（１０６，１０７，１０８）の状態とは同一ではなく、任意のタイミングで所定の通信によってエンジンコントローラ１０５およびオプション（１０６，１０７，１０８）の状態を反映させ更新されるものである。
【０２２６】
例えば、「／ＲＤＹ状態」１２０１は、図１３に示した／ＲＤＹ信号の状態を反映するフラグであり、エンジンＩ／Ｆタスクが／ＲＤＹ信号の”ＦＡＬＳＥ”を検知している間”ＴＲＵＥ”にする。
【０２２７】
また、「／ＣＣＲＴ状態」１２０２は、図１３に示した／ＣＣＲＴ信号の状態を反映するフラグであり、エンジンＩ／Ｆタスクによって実際の／ＣＣＲＴ信号の状態が反映される。エンジンＩ／Ｆタスクが／ＣＣＲＴ信号の”ＴＲＵＥ”を検知し、エンジンコントローラ１０５の状態を所定のシリアル通信によって獲得することによって前記した通り／ＣＣＲＴ信号は”ＦＡＬＳＥ”となる。
【０２２８】
さらに、「給紙段数」１２０３は、オプションカセットユニットの装着等を反映し選択可能な給紙段数である。
【０２２９】
また、「カセット１紙有無」１２０４は、カセット２３０の用紙有無である。さらに、「カセット１紙サイズ」１２０５は、カセット２３０の不図示のダイヤルで設定された用紙サイズであり、操作者はダイヤル値と同一の用紙を載置しているという前提から、カセット２３０の用紙サイズとして認識される。
【０２３０】
また、「ペーパデッキ紙有無」１２０６は、給紙オプション装置１０７の用紙有無である。「ペーパデッキ紙サイズ」１２０７は、給紙オプション装置１０７の不図示の仕切り板で設定された用紙サイズであり、操作者は仕切り板の値と同一の用紙を載置しているという前提から、給紙オプション装置１０７の用紙サイズとして認識される。
【０２３１】
「ＭＰトレイ紙有無」１２０８は、手差用トレイ２０２の用紙有無である。「ＭＰトレイ紙サイズ」１２０９は、手差用トレイ２０２の不図示のセンサにより検知された用紙サイズである。
【０２３２】
なお、図２０に示したページテーブルおよび図２１に示したエンジン状態テーブル（図１９中には不図示）の両テーブルとも解析展開タスク、ページ操作タスク、エンジンＩ／Ｆタスク、オプションＩ／Ｆタスクから参照・更新される。
【０２３３】
図２２は、図１５に示したＲＡＭ４０７に格納されるジョブ制御テーブルの構造を示す図である。
【０２３４】
図において、１３００はジョブ制御テーブルで、ＣＰＵ４０９において、ジョブを制御するためのテーブルであり、ジョブ制御テーブル１３００は、「ジョブＩＤ」１３０１，「ジョブ完了状態」１３０２，……，「ソート指定有無」１３０３，「使用可能ビン番号」１３０４，「ソートのコピー部数」１３０５，「オリジナルページ数」１３０６，「ページ数確定状態」１３０７等から構成され、実体は図１５に示したＲＡＭ４０７の不図示の制御情報格納領域に連続領域として存在し、ＣＰＵ４０９によって獲得、解放を管理される。
【０２３５】
以下に、図１９のデータフローを説明する。
【０２３６】
図１９に示すように、外部機器１０１から入力される印字データ（制御コード、ＰＤＬ等）は、ホストインタフェース部４０２に所定のブロック単位に格納される。
【０２３７】
「解析展開タスク」１００１は、ホストＩ／Ｆ部４０２にデータを検出すると、図２０に示したページテーブル１１００を獲得する。そして上記１ブロック単位にデータを解析し、画像形成情報（ＰＤＬの図形描画命令、文字コード等）に関しては図１５に示した画像データ発生部４０３を用いて、あるいはＣＰＵ４０９自身でイメージ展開を行ない、図２０に示したページテーブル１１００の「ラスタポインタ」１１０２で示される領域に格納する。
【０２３８】
また、プリンタに対しての制御情報（コピー枚数、給紙選択等）に関しては図２０に示したページテーブル１１００に格納する。１ページ分のデータを解析展開終了した後に、「状態フラグ」内の「展開終了フラグ」をＴＲＵＥにして、ＦＩＦＯ構造のページキュー（例えば、画像メモリ４０５又はＥＥＰＲＯＭ４１０内に設けられる）にエンキューする。
【０２３９】
「ページ操作タスク」１００２は、図２２に示したジョブ制御テーブル１２００を参照し、上述したページキュー中の全てのページテーブル１１００内の「状態フラグ」１１０３を同時監視し、状態に応じて搬送手順を変更して印字を実現する。
【０２４０】
この際、オプションＩ／Ｆ部４１２により給紙手段、排紙手段、印刷モード等の印字指定を行なうとともに、エシジンＩ／Ｆ部４０６によって、給紙手段等の設定をエンジンコントローラ１０５に対して実際に行なう。「排紙終了フラグ」１１０３ｃがＴＲＵＥとなったページテーブル１１００はページキューからデキューされ、図示しないページ管理機能部に戻される。
【０２４１】
「エンジンＩ／Ｆタスク」１００３及び「オプションＩ／Ｆタスク」１００４は、それぞれ、エンジンＩ／Ｆ部４０６、オプションＩ／Ｆ部４１２を介してエンジンコントローラ１０５及びオプションコントローラ部１０６と所定の周期で通信を行ない、ページの状態が変化する要因が発生すると、上述の「状態フラグ」１１０３を更新する。
【０２４２】
また、／ＲＤＹ信号の変化を監視し、ＴＲＵＥ→ＦＡＬＳＥの変化に対しては、プリンタの状態をエラー発生中とするとともにエラーの解除を監視する。さらに、／ＲＤＹ信号、及び／ＣＣＲＴ信号など、状態の変化を監視し、上述した（手順１）及び（手順２）を実行し、図１２に示した「エンジン状態テーブル」１２００を更新する。
【０２４３】
パネル部１０４からの動作モード指定（コピー枚数、給紙選択等）は、パネルＩ／Ｆ部４０１に―旦格納される。不図示のプリンタ制御タスクは、適当な間隔によってパネルＩ／Ｆ部４０１を巡回監視し、データが存在するとＥＥＰＲＯＭ４１０に格納し、同時に制御情報としてＲＡＭ４０７の不図示の制御情報格納領域に格納する。ＥＥＰＲＯＭ４１０に格納することによって、プリンタの電源を一旦ＯＦＦした後でも、ユーザの所望のモードによってプリンタを動作させることが可能となる。
【０２４４】
以下、図２３を参照して、画像記録装置１０２がホストコンピュータ等の外部機器より印刷データを受信し印刷完了するまでの処理について説明する。
【０２４５】
図２３は、本発明のデータ処理装置および画像記録装置を適用可能な画像記録システムの第５の制御処理手順を示すフローチャートであり、画像記録装置１０２がホストコンピュータ等の外部機器１０１より印刷データを受信し印刷完了するまでの処理に対応し、図１５に示したＣＰＵ４０９がＲＯＭ４０４又は図示しないその他の記憶媒体に格納されたプログラムに基づいて実行する。なお、Ｓ５０１〜Ｓ５１８は各ステップを示す。
【０２４６】
まず、ステップＳ５０１において、ホストコンピュータ等の外部機器１０１から送られた印刷データ（制御情報と描画情報）を解析し、ステップＳ５０２において、制御情報をメモリ（ＲＡＭ４０７）へ格納するとともに、描画情報をメモリ（ＲＡＭ４０７）へ展開格納する。ステップＳ５０３において、メモリに格納された制御情報から排紙モードが自動指定かどうかを判断し、自動指定でないと判断された場合は、ステップＳ５１２において、固定時の処理として制御情報に基づき固定的に指定された排紙口を選択し、ステップＳ５１４に進む。
【０２４７】
一方、ステップＳ５０３で、制御情報から排紙モードが自動指定であると判断された場合は、ステップＳ５０４において、ユーザセパレート自動が指定されているかどうかを判断し、ユーザセパレート自動が指定されていると判断された場合は、ステップＳ５０５において、ユーザセパレート自動指定時の検索処理（後述する図２４に示す）を行い、ステップＳ５１４に進む。
【０２４８】
一方、ステップＳ５０４でユーザセパレート自動が指定されていないと判断された場合は、ステップＳ５０６において、ユーザセパレート固定が指定されているかどうかを判断し、ユーザセパレート固定が指定されていると判断された場合は、ステップＳ５０７において、ユーザセパレート固定指定時の検索処理を行い、ステップＳ５１４に進む。
【０２４９】
一方、ステップＳ５０６でユーザセパレート固定が指定されていないと判断された場合は、ステップＳ５０８において、ソートが指定されているかどうかを判断し、ソートが指定されていると判断された場合は、ステップＳ５０９において、ソート指定時の検索処理を行い、ステップＳ５１４に進む。
【０２５０】
一方、ステップＳ５０８でソートが指定されていないと判断された場合は、ステップＳ５１０において、スタックが指定されているかどうかを判断し、スタックが指定されていると判断された場合は、ステップＳ５１１において、スタック指定時の検索処理を行い、ステップＳ５１４に進む。
【０２５１】
一方、ステップＳ５１０でスタックが指定されていないと判断された場合は、ステップＳ５１３において、不正指定時の検索処理を行い、ステップＳ５１４に進む。
【０２５２】
次に、ステップＳ５１４において、ＥＥＰＲＯＭ４１０内に格納された積載状態等のチェックや図示しない各センサ等をチェックして、満載等の異常なしかどうかを判断し、異常なしと判断された場合は、ステップＳ５１５において、エンジン制御処理（印刷処理）を実行し、印刷ジョブの排紙が全て終了したら、印刷ジョブで指定されている識別名称の排紙ビンをホストコンピュータに送信し、ホストコンピュータのＵＩ上に現在排紙を行ったビンをユーザに通知（および／または図１０に示したパネル部１０４の表示部に表示）して、印刷処理を終了する。なお、ユーザセパレート自動が指定されている場合の印刷処理では、後述する図２４示すユーザセパレート自動検索処理により決定された各排紙口にそれぞれ決定された部数の印刷排紙処理を行う。
【０２５３】
一方、ステップＳ５１４において、異常あり（例えば満載等の異常がある）と判断された場合は、ステップＳ５１６において、異常の内容に応じたエラー表示を画像記録装置１０２のパネル部１０４に行うとともに、ホストコンピュータ１０１に、異常の内容およびエラー表示のイベントを通知し、ステップＳ５１７において、ユーザのオペレーションにより異常が解除されるのを待って、異常が解除されたと判断されたら、ステップＳ５１８において、パネル部１０４のエラー表示を解除するとともに、ホストコンピュータ１０１に、エラー表示解除のイベントを通知し、ステップＳ５０３の処理から再度行い、リカバリ処理に入る。
【０２５４】
以下、図２４参照して、ユーザセパレート自動モード時の排紙口検索処理について説明する。
【０２５５】
図２４は、本発明のデータ処理装置および画像記録装置を適用可能な画像記録システムの第６の制御処理手順を示すフローチャートであり、ユーザセパレート自動モード時の排紙口検索処理（図２３のステップＳ５０５のユーザセパレート自動指定時の検索処理）に対応し、図１５に示したＣＰＵ４０９がＲＯＭ４０４又は図示しないその他の記憶媒体に格納されたプログラムに基づいて実行する。なお、Ｓ６０１〜Ｓ６１３は各ステップを示す。
【０２５６】
ユーザセパレート自動の検索処理が開始したら、まずステップＳ６０１において、印刷データにおいて指定されている識別名称と同一名称の排紙ビンを検索し、図１５に示したＥＥＰＲＯＭ４１０に登録された同一名称の排紙ビンが存在する場合は、そのビンを仮決定ビンとする。なお、この時、優先順位の低いビンから検索し、複数存在する場合、最も優先順位の低いビン（最後に登録を行った同一名称の排紙ビン）を１つ選択するものとする。
【０２５７】
次に、ステップＳ６０２において、ステップＳ６０１の検索結果、即ち印刷データにおいて指定されている識別名称と同一名称の排紙ビンがあるか否かを判定し、同一の排紙ビンがあると判定された場合は、ステップＳ６０３において、そのビンが満載であるか否かを図１５に示したＥＥＰＲＯＭ４１０に格納された排紙ビンの積載状態に基づいて判定し、満載でないと判定された場合は、ステップＳ６０４において、ステップＳ６０１で検索した仮決定ビンを正式ビンとして決定（選択）、即ちページテーブル１１００内の「排紙口」１１１１に選択した排紙口を表す数値を格納し、排紙を行う。
【０２５８】
一方、ステップＳ６０３で印刷データにおいて指定されている識別名称と同一名称の排紙ビンが満載であると判定された場合は、ステップＳ６０５において、ステップＳ６０１で検索した仮決定ビンの次の優先順位のビン（ステップＳ６０１で検索した仮決定ビンと連続するビン）が空かどうかを図１５に示したＥＥＰＲＯＭ４１０に格納された排紙ビンの積載状態又は図１６に示した共有メモリに基づいてチェックし、そのビンが空でないと判定された場合は、新たにビン登録は行わず、ステップＳ６０４において、ステップＳ６０１で検索した仮決定ビンを正式ビンとして決定（選択）、即ちページテーブル１１００内の「排紙口」１１１１に選択した排紙口を表す数値を格納する。
【０２５９】
一方、ステップＳ６０６において、ステップＳ６０１で検索した仮決定ビンの次の優先順位のビンが空であると判定された場合は、ステップＳ６０７において、ステップＳ６０１で検索した仮決定ビンの次の優先順位のビンを正式ビンとして決定（選択）、即ちページテーブル１１００内の「排紙口」１１１１に選択した排紙口を表す数値を格納し、ステップＳ６０８において、そのビンのビン名称として印刷データに指定された識別名称を図１５に示したＥＥＰＲＯＭ４１０に登録する。
【０２６０】
一方、ステップＳ６０２において、ステップＳ６０１の検索結果、印刷データにおいて指定されている識別名称と同一名称の排紙ビンがないと判定された場合は、ステップＳ６０９において、最優先ビンから空のビンを図１５に示したＥＥＰＲＯＭ４１０に格納された排紙ビンの積載状態又は図１６に示した共有メモリに基づいて検索し、ステップＳ６１０において、ステップＳ６０９の検索結果、空のビンがあるか否かを判定し、空のビンがあると判定された場合は、ステップＳ６１１において、空きビンの中で最優先ビンを正式ビンとして決定し、ステップＳ６１２において、そのビンのビン名称として印刷データに指定された識別名称を図１４に示したＥＥＰＲＯＭ４１０に登録する。
【０２６１】
一方、ステップＳ６１０において、ステップＳ６０９の検索結果、空のビンがないと判定された場合は、既に別のユーザが全てビンを使用中であり新たに割り当てるビンが無い状態であるので、ステップＳ６１３において、指定通り出力を行えない場合に排紙を行うためのエスケープビンを正式ビンとして決定し、”全ビン使用中のため、仕分け印刷できません”等の警告メッセージ（ウォーニング）をパネル部１０４の不図示のＬＣＤおよび／またはホストコンピュータに通知し、検索処理を終了する。
【０２６２】
なお、上記警告メッセージ表示中は、指定通りの排紙を実行できない場合に排紙する為のエスケープビンへ排紙を行う。
【０２６３】
このように、ユーザセパレート自動モード排紙を行えない可能性があることを、画像記録装置を共有するユーザに通知することにより、自分が使用しているビンの用紙の取り除きを要求し空きビンをつくるようユーザに促す。
【０２６４】
なお、本実施形態では、より上のビンがより優先順位が高いビンであるとする。
【０２６５】
以下、図２５を参照して、排紙ビンの情報更新を行う処理を説明する。
【０２６６】
図２５は、本発明のデータ処理装置および画像記録装置を適用可能な画像記録システムの第７の制御処理手順を示すフローチャートであり、排紙ビンの情報更新を行う処理に対応し、図１５に示したＣＰＵ４０９がＲＯＭ４０４又は図示しないその他の記憶媒体に格納されたプログラムに基づいて実行する。なお、Ｓ７０１〜Ｓ７１１は各ステップを示す。
【０２６７】
排紙口の状態は、一定周期間隔で状態変化するステータス情報（オプションコントローラ部１０６の共有メモリ（図１６）にアクセスを行ないオプションとコマンドステータスのやりとりを行なってステータス情報）を取得し、更新を行う（図１４に示したＥＥＰＲＯＭ４１０内に格納する）。
【０２６８】
まず、ステップＳ７０１において、各排紙ビンの積載量（状態）に変化があるかどうかを図１６に示した共有メモリを参照して判断し、排紙ビンの積載量に変化があると判定された場合は、ステップＳ７０２において、図１５に示したＥＥＰＲＯＭ４１０に格納された排紙ビンの積載状態（状態変化のあった排紙ビンの積載状態）を更新し、ステップＳ７０３に進む。
【０２６９】
一方、ステップＳ７０１で各排紙ビンの積載量に変化がないと判定された場合は、そのままステップＳ７０３に進む。
【０２７０】
次に、ステップＳ７０３において、積載量がゼロになった排紙ビンがあるか否かを判定し、積載量がゼロになった排紙ビンがあると判定された場合は、ステップＳ７０４において、その積載量がゼロになっている排紙ビンの識別名称と同一名称の印刷ジョブがある（即ちその印刷ジョブが処理中）かどうかを判断し、同一の名称の印刷ジョブがある（即ちその印刷ジョブが処理中）と判断された場合は、そのままステップＳ７０６に進む。
【０２７１】
一方、ステップＳ７０４で、積載量がゼロになっている排紙ビンの識別名称と同一名称の印刷ジョブがない（即ちその印刷ジョブが処理中でない）と判断された場合は、ステップＳ７０５において、図２４に示したユーザセパレート自動検索処理時に図１５に示したＥＥＰＲＯＭ４１０に登録したそのビンの識別名称を削除し、空きビン状態とし、ステップＳ７０６に進む。
【０２７２】
一方、ステップＳ７０３で積載量がゼロになった排紙ビンがないと判定された場合は、そのままステップＳ７０６に進む。
【０２７３】
次に、ステップＳ７０６において、全ビン使用中かどうかを判定し、全ビン使用中であると判定された場合は、ステップＳ７０７において、”ゼンビンシヨウチュウデス（全ビン使用中のため、仕分け印刷できません。）”等のウォーニング表示（警告メッセージ表示）を図１０に示したパネル部１０４に行い、ステップＳ７０９に進む。
【０２７４】
一方、ステップＳ７０６において、全ビン使用中でない、即ち使用していないビンがあると判定された場合は、ステップＳ７０８において、図１０に示したパネル部１０４のウォーニング表示を解除し、ステップＳ７０９に進む。
【０２７５】
次に、ステップＳ７０９において、ステップＳ７０７又はＳ７０８でウォーニング表示又は解除を行い状態変化があったか否かを判定し、状態変化があったと判定された場合は、ステップＳ７１０において、ホストコンピュータへ状態変化（”ゼンビンシヨウチュウデス”等のウォーニング表示を新たに行った／解除した）を通知し、ステップＳ７１１に進む。
【０２７６】
一方、ステップＳ７０９において、ステップＳ７０７又はＳ７０８でウォーニング表示又は解除を行い状態変化がなかったと判定された場合は、そのままステップＳ７１１に進む。
【０２７７】
その後、ステップＳ７１１において、一定時間ウエイトし、ステップＳ７０１の処理を繰り返す。
【０２７８】
なお、ステップＳ７０４において登録を削除しようとしている排紙ビンと同一名称のジョブを処理中であるかどうかの判断は、図２０に示したページテーブル１１００は排紙完了するまで保持される情報であるので、このページテーブル１１００の識別名称１１０９と、積載量ゼロを検出された排紙ビンの識別名称との比較を行い検索する。即ち、現在処理中のページテーブル１１００の識別名称１１０９が積載量ゼロを検出された排紙ビンの識別名称と異なれば、その排紙ビンの登録は削除し、同一であれば、その排紙ビンの登録は保持される。
【０２７９】
以上の処理により、排紙ビンの名称登録状態を元に、排紙ビンの登録削除を動的に行いながら印刷処理を行ない、識別名称による仕分けを実現する。
【０２８０】
なお、図２３のステップＳ５０７のユーザセパレート固定指定時の検索処理，Ｓ５０９のソート指定時の検索処理，Ｓ５１１のスタック指定時の検索処理，Ｓ５１２のの不正指定時の検索処理の詳細説明については、本実施形態では省略する。
【０２８１】
以下、図２６を参照して、ホストコンピュータ１０１上でのプリンタ状態を示す情報及び表示の更新を行う処理手順について説明する。
【０２８２】
図２６は、本発明のデータ処理装置および画像記録装置を適用可能な画像記録システムの第８の制御処理手順を示すフローチャートであり、ホストコンピュータ上でのプリンタ状態を示す情報及び表示の更新を行う処理に対応し、図６に示したホストコンピュータ１０１のＣＰＵ１がＲＯＭ又はその他の記憶媒体に格納されたプログラムに基づいて実行する。なお、Ｓ８０１〜Ｓ８０３は各ステップを示す。
【０２８３】
まず、ステップＳ８０１において、イベント通知（図２３のステップＳ５１５における排紙を行ったビンの通知，ステップＳ５１６におけるエラー表示の通知，エラー表示解除の通知，図２５のステップＳ７１０の通知等）があるまで待機し、プリンタの状態が変化して、イベント通知があったと判断された場合は、通知されたイベントを受け取り、ステップＳ８０２において、その内容（排紙を行ったビンの通知，エラー表示の通知，エラー表示解除通知等）を解析する。
【０２８４】
次に、ステップＳ８０３において、解析した結果その内容に基づいて通知内容の表示又は表示解除を行い、プリンタの状態変化をユーザに知らせる。
【０２８５】
例えば、ユーザセパレート自動モードでは、動的に排紙ビンを割り振るので、印刷を行うまで、ユーザにはどのビンに排紙が行われたかは分からない。そのため、印刷ジョブ終了時に、そのジョブで指定された識別名称が登録されているビン情報をホストコンピュータヘ通知し、「あなたが使用しているビンはビン１からビン３です。」あるいは「全ビン使用中のため、仕分け印刷できません。」の様なメッセージを図６に示したＣＲＴ１０に表示してビン使用状況等の排紙ビン情報をユーザに知らせる。
【０２８６】
〔第２実施形態〕
上記第１実施形態においては、登録名称の解放の条件を、その排紙口の積載量がゼロ且つ同一名称の印刷ジョブを処理中でない時とする構成について説明したが、内部的に処理している印刷ジョブの中身を判断するのではなく、その排紙口の積載量がゼロ且つ印刷処理が終了してから一定時間後、依然として印刷ジョブを受信していなければ登録名称を解放するように構成しても良い。
【０２８７】
〔第３実施形態〕
上記第１実施形態においては、ユーザｓａｋａｉのビンが１ビンのみの場合の説明を行なった。ユーザｓａｋａｉが複数登録されている場合でも同様に全ての名称登録を解除しないように動作し、カレント排紙ビンを維持するように構成してもよいが、排紙ビンを有効に使用するために複数ある同一名称ビンの積載量がゼロになった場合、優先順位の一番高い排紙ビン以外のビンまたは、カレント排紙ビン（処理中ジョブの排紙先に決定されている排紙ビン）以外のビンの名称登録を解放するようにし、１つのビンのみ登録ビンを残すように構成しても良い。
【０２８８】
〔第４実施形態〕
上記第１実施形態においては、より上段のビンがより優先順位が高いビンである場合について説明したが、より下段のビンがより優先順位が高いビンであるように構成してもよい。
【０２８９】
これにより、ユーザセパレート自動モードで複数のビンを使用する場合、スタック排紙された場合と同じように排紙され、つまれたままの状態で上の段から紙を取るだけで、印刷結果が正しい順番となる。
【０２９０】
以上より、画像記録装置の共有利用において、識別名称の登録及び選択を可能とし、１ジョブ毎の仕分けではなく識別名称毎の仕分けを可能とすることで、排紙口の積載能力を最大限に発揮しながら印刷ジョブの仕分けが可能となる。
【０２９１】
また、ホストコンピュータ及び画像記録装置上の煩わしい設定を行わなくても、印刷時に排紙モードを選択するだけで、印刷ジョブの仕分け排紙を容易に行うことが可能となる。
【０２９２】
さらに、ホストコンピュータ上のアプリケーションで、識別名称の登録及び選択を可能とすることで、ユーザ毎の仕分けだけでなく、目的に合わせた多種の仕分け方法の選択が各ユーザ毎に可能となり、ユーザ毎に違った仕分け方法を同時に実現することが可能となる。
【０２９３】
また、同一名称を複数の排紙口に対して登録可能とすることで、１つの画像記録装置をより多くのユーザで共有することと、共有利用の中での大量排紙との両立を行うことが可能となる。
【０２９４】
さらに、ユーザが用紙取り除きのオペレーションを頻繁に行ない排紙ビンを空にしても、登録した名称の解除を行わず、同一ジョブは同一排紙口へ排紙を行うよう制御することにより、自分の印刷ジョブの排紙位置を分かりやすくすることが可能となる。
【０２９５】
以下、図２７に示すメモリマップを参照して本発明に係るデータ処理装置および画像記録装置を適用可能な画像記録システムで読み出し可能なデータ処理プログラムの構成について説明する。
【０２９６】
図２７は、本発明に係る本発明に係るデータ処理装置および画像記録装置を適用可能な画像記録システムで読み出し可能な各種データ処理プログラムを格納する記憶媒体のメモリマップを説明する図である。
【０２９７】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０２９８】
さらに、各種プログラムに従属するデータも上記ディレクトリに管理されている。また、インストールするプログラムやデータが圧縮されている場合に、解凍するプログラム等も記憶される場合もある。
【０２９９】
本実施形態における図７，図８、図１７，図１８，図２３，図２４，図２５，図２６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０３００】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０３０１】
この場合、記憶媒体から読み出されたプログラムコード自体が本発明の新規な機能を実現することになり、そのプログラムコードを記憶した記憶媒体は本発明を構成することになる。
【０３０２】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ，シリコンディスク等を用いることができる。
【０３０３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０３０４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０３０５】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０３０６】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０３０７】
【発明の効果】
以上説明したように、本発明によれば、複数の排紙口の用紙積載量が零になった場合において、用紙積載量が零になった複数の排紙口の識別名称と同一の識別名称が指定されている印刷ジョブの印刷処理を行っている場合は、少なくとも同一の識別名称が指定されている印刷ジョブの印刷処理が終了するまでは、用紙積載量が零になった複数の排紙口の識別名称を記憶手段から削除しないので、印刷ジョブの実行により印刷処理された用紙を排紙する排紙口が印刷ジョブの実行中に変更されてしまうことによる不具合を防止することができる。
【図面の簡単な説明】
【図１】複数のユーザが共有する画像記録装置の排紙ビンを使って、ユーザセパレート自動モードの運用をスムーズに実現する方法を示す概念図である。
【図２】図１に示したユーザセパレート自動モードの運用をスムーズに実現する方法を示す概念図である。
【図３】図１に示した各ホストコンピュータ上のホストアプリケーションによりプリンタの排紙モードの設定を行う画面の一例を示す模式図である。
【図４】図１に示した各ホストコンピュータ上のホストアプリケーションにより印刷時の排紙モードの設定を行う画面の一例を示す模式図である。
【図５】図１に示した各ホストコンピュータ上のホストアプリケーションにより印刷時の排紙モードの設定を行う画面の一例を示す模式図である。
【図６】図１に示したホストコンピュータの構成を説明するブロック図である。
【図７】本発明のデータ処理装置および画像記録装置を適用可能な画像記録システムの第１の処理手順を示すフローチャートである。
【図８】本発明のデータ処理装置および画像記録装置を適用可能な画像記録システムの第２の処理手順を示すフローチャートである。
【図９】図１に示した画像記録装置からホストコンピュータに通知される印刷終了通知を示す模式図である。
【図１０】図１に示した画像記録装置を適用可能なレーザビームプリンタの構成を説明するブロック図である。
【図１１】図１０に示したプリンタの構成を説明する断面図である。
【図１２】図１０に示したプリンタの構成を説明するブロック図である。
【図１３】ビデオコントローラ（ＶＣ）とエンジンコントローラ（ＥＣ）との間でやりとりされる信号を説明する図である。
【図１４】ビデオコントローラ（ＶＣ），エンジンコントローラ（ＥＣ）とオプションコントローラ（ＯＣ）との間でやりとりされる信号を説明する図である。
【図１５】図１０に示したビデオコントローラの構成を説明するブロック図である。
【図１６】図１０に示したオプションコントローラ部内に設けられるＲＡＭに確保されるビデオコントローラとの共有メモリの摸式図である。
【図１７】本発明のデータ処理装置および画像記録装置を適用可能な画像記録システムの第３の処理手順を示すフローチャートである。
【図１８】本発明のデータ処理装置および画像記録装置を適用可能な画像記録システムの第４の処理手順を示すフローチャートである。
【図１９】図１０に示した外部機器からオプションコントローラ部及びエンジンコントローラまでのデータフローを示す図である。
【図２０】図１５に示したＲＡＭに格納されるページテーブルの構造を示す図である。
【図２１】図１５に示したＲＡＭに格納されるエンジン状態テーブルの構造を示す図である。
【図２２】図１５に示したＲＡＭに格納されるジョブ制御テーブルの構造を示す図である。
【図２３】本発明のデータ処理装置および画像記録装置を適用可能な画像記録システムの第５の制御処理手順を示すフローチャートである。
【図２４】本発明のデータ処理装置および画像記録装置を適用可能な画像記録システムの第６の制御処理手順を示すフローチャートである。
【図２５】本発明のデータ処理装置および画像記録装置を適用可能な画像記録システムの第７の制御処理手順を示すフローチャートである。
【図２６】本発明のデータ処理装置および画像記録装置を適用可能な画像記録システムの第８の制御処理手順を示すフローチャートである。
【図２７】本発明に係る本発明に係るデータ処理装置および画像記録装置を適用可能な画像記録システムで読み出し可能な各種データ処理プログラムを格納する記憶媒体のメモリマップを説明する図である。
【図２８】従来の仕分け方法（１）１ジョブセパレートを説明する概念図である。
【図２９】従来の仕分け方法（２）疑似メールボックスを説明する概念図である。
【図３０】従来の仕分け方法（３）特開平２−１２００６８号公報に示される排紙方法を説明する概念図である。
【図３１】図３０に示した従来の仕分け方法（３）において、印刷処理中に用紙を取り除いた場合を説明する図である。
【符号の説明】
１０１Ａ〜１０１Ｄ  外部機器（ホストコンピュータ）
１０２  画像記録装置（プリンタ）
１  ＣＰＵ
２  ＲＡＭ
３  ＲＯＭ
４０４  ＲＯＭ
４０７  ＲＡＭ
４０９  ＣＰＵ
４１０  ＥＥＰＲＯＭ
【図１】
0004346747.tif 000002
【図２】
0004346747.tif 000003
【図３】
0004346747.tif 000004
【図４】
0004346747.tif 000005
【図５】
0004346747.tif 000006
【図６】
0004346747.tif 000007
【図７】
0004346747.tif 000008
【図８】
0004346747.tif 000009
【図９】
0004346747.tif 000010
【図１０】
0004346747.tif 000011
【図１１】
0004346747.tif 000012
【図１２】
0004346747.tif 000013
【図１３】
0004346747.tif 000014
【図１４】
0004346747.tif 000015
【図１５】
0004346747.tif 000016
【図１６】
0004346747.tif 000017
【図１７】
0004346747.tif 000018
【図１８】
0004346747.tif 000019
【図１９】
0004346747.tif 000020
【図２０】
0004346747.tif 000021
【図２１】
0004346747.tif 000022
【図２２】
0004346747.tif 000023
【図２３】
0004346747.tif 000024
【図２４】
0004346747.tif 000025
【図２５】
0004346747.tif 000026
【図２６】
0004346747.tif 000027
【図２７】
0004346747.tif 000028
【図２８】
0004346747.tif 000029
【図２９】
0004346747.tif 000030
【図３０】
0004346747.tif 000031
【図３１】
0004346747.tif 000032